(57)【要約】【課題】電子下敷装置において、電子ペーパに、当該電子ペーパを載せた下敷に応じたコンテンツの表示データを再表示させる。【解決手段】電子下敷12Bにおいて、装着された電子ペーパ11Bに任意コンテンツの表示データを表示させると、ペーパ管理テーブルにその電子ペーパ11BのペーパIDと表示データのコンテンツIDとの組み合わせが登録される。電子ペーパ11Bには、新たな表示データが表示される都度、そのコンテンツ記憶部にコンテンツIDと対応付けられた表示データが記憶されて保存される。電子ペーパ11Bが新たに装着されると、前記ペーパ管理テーブルに登録されている装着中の電子ペーパ11BのペーパIDに組み合わせられたコンテンツIDが読み出され、一致するコンテンツIDが、当該電子ペーパ11Bの表示コンテンツ記憶部に保存されている場合には、そのコンテンツIDと対応付けられた表示データが再表示される。【選択図】図７
2014048581.tif 000002
【特許請求の範囲】
【請求項１】
電子ペーパが着脱自在に装着される電子下敷装置であって、
電子ペーパに表示させる表示データのコンテンツＩＤを登録する表示対象登録手段と、
表示データをそのコンテンツＩＤと対応付けて記憶している電子ペーパが装着されたことを検出するペーパ検出手段と、
このペーパ検出手段により電子ペーパが装着されたことが検出された際に、前記表示対象登録手段により登録されているコンテンツＩＤと一致するコンテンツＩＤが当該装着された電子ペーパに記憶されているか否かを判断する表示判断手段と、
この表示判断手段により前記表示対象登録手段により登録されているコンテンツＩＤと一致するコンテンツＩＤが前記装着された電子ペーパに記憶されていると判断された場合に、当該コンテンツＩＤと対応付けられて同電子ペーパに記憶されている表示データを当該電子ペーパに表示させる表示制御手段と、
を備えたことを特徴とする電子下敷装置。
【請求項２】
前記表示対象登録手段は、電子ペーパのペーパＩＤと当該電子ペーパに表示させる表示データのコンテンツＩＤとを対応付けて登録し、
前記表示判断手段は、前記ペーパ検出手段により電子ペーパが装着されたことが検出された際に、そのペーパＩＤと対応付けられて前記表示対象登録手段により登録されているコンテンツＩＤと一致するコンテンツＩＤが当該装着された電子ペーパに記憶されているか否かを判断し、
前記表示制御手段は、前記表示判断手段により前記装着された電子ペーパのペーパＩＤと対応付けられて前記表示対象登録手段により登録されているコンテンツＩＤと一致するコンテンツＩＤが当該電子ペーパに記憶されていると判断された場合に、当該コンテンツＩＤと対応付けられて同電子ペーパに記憶されている表示データを当該電子ペーパに表示させる、
ことを特徴とする請求項１に記載の電子下敷装置。
【請求項３】
前記ペーパ検出手段により電子ペーパが装着されたことが検出され、当該電子ペーパに表示データが表示された状態で、同表示データのコンテンツＩＤが前記表示対象登録手段により登録されているか否かを判断する登録有無判断手段を備え、
前記表示対象登録手段は、前記登録有無判断手段により前記装着された電子ペーパに表示された表示データのコンテンツＩＤが登録されていないと判断された場合に、そのコンテンツＩＤを登録する、
ことを特徴とする請求項１に記載の電子下敷装置。
【請求項４】
電子ペーパが着脱自在に装着される電子下敷装置であって、
電子ペーパのペーパＩＤに対応付けてその電子ペーパに表示させる表示データのコンテンツＩＤを登録する表示対象登録手段と、
表示データをそのコンテンツＩＤと対応付けて記憶している電子ペーパが装着されたことを検出するペーパ検出手段と、
このペーパ検出手段により電子ペーパが装着されたことが検出された際に、当該装着された電子ペーパのペーパＩＤに対応付けられて前記表示対象登録手段により登録されているコンテンツＩＤを特定する表示対象特定手段と、
この表示対象特定手段により特定されたコンテンツＩＤと対応付けられて前記装着された電子ペーパに記憶されている表示データを当該電子ペーパに表示させる表示制御手段と、
を備えたことを特徴とする電子下敷装置。
【請求項５】
前記ペーパ検出手段により電子ペーパが装着されたことが検出された際に、当該装着された電子ペーパのペーパＩＤが前記表示対象登録手段により登録されているか否かを判断する登録有無判断手段を備え、
前記表示対象登録手段は、前記登録有無判断手段により前記装着された電子ペーパのペーパＩＤが登録されていないと判断された場合に、そのペーパＩＤに対応付けて同電子ペーパに表示された表示データのコンテンツＩＤを登録する、
ことを特徴とする請求項４に記載の電子下敷装置。
【請求項６】
前記ペーパ検出手段により電子ペーパが装着されたことが検出された際に、当該装着された電子ペーパに表示データが表示されているか否かを判断する表示有無判断手段を備え、
前記表示制御手段は、前記表示有無判断手段により前記装着された電子ペーパに表示データが表示されていないと判断された場合に、当該電子ペーパに記憶されている表示データを同電子ペーパに表示させる、
ことを特徴とする請求項１または請求項４に記載の電子下敷装置。
【請求項７】
外部装置から任意のコンテンツの表示データを取得する表示データ取得手段と、
この表示データ取得手段により取得された任意のコンテンツの表示データを前記装着された電子ペーパに表示させる任意データ表示制御手段と、
を備えたことを特徴とする請求項１または請求項４に記載の電子下敷装置。
【請求項８】
前記外部装置は、ネットワークを介して各種のコンテンツを受信可能な通信端末装置であって、
前記表示データ取得手段は、前記通信端末装置によりネットワークを介して受信した任意のコンテンツの表示データを当該通信端末装置との通信接続により取得する、
ことを特徴とする請求項７に記載の電子下敷装置。
【請求項９】
前記外部装置は、ネットワーク上に存在するコンテンツサーバ装置であって、
前記表示データ取得手段は、前記ネットワーク上のコンテンツサーバ装置との直接の通信接続により任意のコンテンツの表示データを取得する、
ことを特徴とする請求項７に記載の電子下敷装置。
【請求項１０】
前記ペーパ検出手段により検出されている電子ペーパ上でのユーザ操作に応じた操作位置を検出する操作位置検出手段と、
この操作位置検出手段により検出されたユーザ操作位置に応じたデータを追記データとして前記電子ペーパの該当する位置に重畳して表示させる追記重畳表示制御手段と、
を備えたことを特徴とする請求項１または請求項４に記載の電子下敷装置。
【請求項１１】
前記追記重畳表示制御手段により前記電子ペーパに重畳して表示された追記データを当該電子ペーパのペーパＩＤに対応付けて記憶する追記データ記憶手段と、
前記ペーパ検出手段により電子ペーパが装着されたことが検出された際に、当該装着された電子ペーパのペーパＩＤに対応付けられて前記追記データ記憶手段により記憶されている追記データを読み出し同電子ペーパに重畳して再表示させる追記重畳再表示制御手段と、
を備えたことを特徴とする請求項１０に記載の電子下敷装置。
【請求項１２】
電子ペーパが着脱自在に装着される電子下敷装置であって、
表示データをそのコンテンツＩＤと対応付けて記憶している電子ペーパが装着されたことを検出するペーパ検出手段と、
このペーパ検出手段により電子ペーパが装着されたことが検出された際に、電子下敷の下敷ＩＤと電子ペーパのペーパＩＤと表示データのコンテンツＩＤとを対応付けて登録しているサーバ装置に接続し、本電子下敷装置の下敷ＩＤと前記装着された電子ペーパのペーパＩＤとを送信するＩＤ送信手段と、
このＩＤ送信手段により送信された前記下敷ＩＤとペーパＩＤとに対応付けられて前記サーバ装置に登録されているコンテンツＩＤを受信する表示対象受信手段と、
この表示対象受信手段により受信されたコンテンツＩＤと対応付けられて前記装着された電子ペーパに記憶されている表示データを当該電子ペーパに表示させる表示制御手段と、
を備えたことを特徴とする電子下敷装置。
【請求項１３】
電子下敷に着脱自在に装着され、複数の表示データを記憶している電子ペーパであって、
電子下敷に装着されたことを検出する下敷検出手段と、
この下敷検出手段により電子下敷に装着されたことが検出された際に、当該電子下敷から表示対象のコンテンツＩＤを取得する表示対象取得手段と、
この表示対象取得手段により取得されたコンテンツＩＤに対応する表示データが記憶されているか否かを判断する表示有無判断手段と、
この表示有無判断手段により前記取得されたコンテンツＩＤに対応する表示データが記憶されていると判断された場合に、当該表示データを本電子ペーパに表示させる表示制御手段と、
を備えたことを特徴とする電子ペーパ。
【請求項１４】
前記複数の表示データをそれぞれそのコンテンツＩＤと対応付けて記憶する表示データ記憶手段を備え、
前記表示有無判断手段は、前記表示対象取得手段により取得されたコンテンツＩＤと対応付けられた表示データが前記表示データ記憶手段により記憶されているか否かを判断し、
前記表示制御手段は、前記表示有無判断手段により前記取得されたコンテンツＩＤと対応付けられた表示データが前記表示データ記憶手段により記憶されていると判断された場合に、当該表示データを本電子ペーパに表示させる、
ことを特徴とする請求項１３に記載の電子ペーパ。
【請求項１５】
電子下敷に着脱自在に装着され、複数の表示データを記憶している電子ペーパであって、
複数の電子下敷それぞれの下敷ＩＤと対応付けて前記複数の表示データにそれぞれ対応するコンテンツＩＤを記憶する表示対象記憶手段と、
電子下敷に装着されたことを検出する下敷検出手段と、
この下敷検出手段により電子下敷に装着されたことが検出された際に、当該電子下敷から下敷ＩＤを取得するＩＤ取得手段と、
ＩＤ取得手段により取得された下敷ＩＤと対応付けられたコンテンツＩＤが前記表示対象記憶手段により記憶されているか否かを判断する表示有無判断手段と、
この表示有無判断手段により前記取得された下敷ＩＤと対応付けられたコンテンツＩＤが前記表示対象記憶手段により記憶されていると判断された場合に、当該コンテンツＩＤに対応して記憶されている表示データを本電子ペーパに表示させる表示制御手段と、
を備えたことを特徴とする電子ペーパ。
【請求項１６】
前記下敷検出手段により電子下敷に装着された状態から外れたことが検出された際に、前記表示制御手段による表示の状態を非表示に変更する非表示制御手段を備えた、
ことを特徴とする請求項１３または請求項１５に記載の電子ペーパ。
【請求項１７】
前記非表示制御手段は、前記下敷検出手段により電子下敷に装着された状態から外れたことが検出された際に、所定時間の経過後に前記表示制御手段による表示の状態を非表示に変更する、
ことを特徴とする請求項１６に記載の電子ペーパ。
【請求項１８】
下敷検出手段により電子下敷に装着されたことが検出された際に、本電子ペーパに表示データが予め表示されているか否かを判断する表示状態判断手段を備え、
この表示状態判断手段により表示データが予め表示されているか否かの判断に応じて、前記装着された電子下敷に応じた表示の制御を実行するか否かを制御する、
ことを特徴とする請求項１３または請求項１５に記載の電子ペーパ。
【請求項１９】
前記表示状態判断手段により表示データが予め表示されていると判断された場合には、当該表示データの表示状態を維持し、前記表示状態判断手段により表示データが予め表示されていないと判断された場合に、前記装着された電子下敷に応じた表示の制御を実行する、
ことを特徴とする請求項１８に記載の電子ペーパ。
【請求項２０】
前記表示状態判断手段により表示データが予め表示されていると判断された場合に、ユーザ操作に応じて表示の変更を指示する表示変更指示手段を備え、
この表示変更指示手段により表示の変更が指示された場合に、前記装着された電子下敷に応じた表示の制御を実行する、
ことを特徴とする請求項１８に記載の電子ペーパ。
【請求項２１】
前記表示状態判断手段により表示データが予め表示されていると判断された場合に、当該表示データのコンテンツＩＤを一時保存する表示対象退避手段と、
前記下敷検出手段により電子下敷に装着された状態から外れたことが検出された際に、当該装着されていた電子下敷に応じた表示の制御により表示された表示データに代えて、前記表示対象退避手段により一時保存されているコンテンツＩＤに対応した表示データを再表示させる再表示制御手段と、
を備えたことを特徴とする請求項２０に記載の電子ペーパ。
【発明の詳細な説明】
【技術分野】
【０００１】
本発明は、紙状の不揮発性表示装置を用いた電子ペーパに所望の情報を記録・表示させるための電子下敷装置およびその電子ペーパに関する。
【背景技術】
【０００２】
近年、電子ペーパと称される紙状の不揮発性表示装置が開発されている。この電子ペーパは、無電源状態で画像を表示保持する表示面を有し、紙には及ばずながらも薄く、柔軟性のあるもので、電源を供給することで画像の書き込み／消去が可能になり、テキストや画像など、様々なコンテンツを表示保持させることができる（例えば、特許文献１〜３参照。）。
【０００３】
出願人は、電子ペーパを下敷に載せて手書き記入することで電子ペーパ上に手書き内容を表示できるようにした電子ペーパ記録装置の特許出願を行った（例えば、特許文献４参照。）。
【０００４】
この電子ペーパ記録装置では、下敷とペーパとの組合せをシンクライアントとしたサーバクライアントシステムにおいて、サーバには、当該下敷とペーパとの組合せに対応したデフォルトの画面データが予め生成されて記憶されており（仮想ペーパクライアント）、下敷にペーパを載せることでその組合せに対応する画面データを読み出して表示できる。そして、ペーパの画面データ上で手書き記入を行った場合には、その手書き軌跡を含めた画面データをサーバ上で更新できるようにしている。
【先行技術文献】
【特許文献】
【０００５】
【特許文献１】特開２００６−０３９８３４号公報
【特許文献２】特開２００１−３１２２２７号公報
【特許文献３】特開２００３−０５８０８１号公報
【特許文献４】特開２００７−３２３３６５号公報
【発明の概要】
【発明が解決しようとする課題】
【０００６】
しかしながら、前記従来の電子ペーパ記録装置では、下敷とペーパとの組合せ毎に、手書きデータも含めた画面データをサーバ上で記憶しておく必要があり、その組合せの数が多くなった場合には、サーバ上で保存するデータ容量が膨大になる。
【０００７】
本発明は、このような課題に鑑みてなされたもので、サーバ上でのデータ容量に問題が生じることなく、電子ペーパに、当該電子ペーパを載せた下敷に応じたコンテンツの表示データを再表示させることが可能になる電子下敷装置および電子ペーパを提供することを目的とする。
【課題を解決するための手段】
【０００８】
本発明に係る電子下敷装置は、電子ペーパが着脱自在に装着される電子下敷装置であって、電子ペーパに表示させる表示データのコンテンツＩＤを登録する表示対象登録手段と、表示データをそのコンテンツＩＤと対応付けて記憶している電子ペーパが装着されたことを検出するペーパ検出手段と、このペーパ検出手段により電子ペーパが装着されたことが検出された際に、前記表示対象登録手段により登録されているコンテンツＩＤと一致するコンテンツＩＤが当該装着された電子ペーパに記憶されているか否かを判断する表示判断手段と、この表示判断手段により前記表示対象登録手段により登録されているコンテンツＩＤと一致するコンテンツＩＤが前記装着された電子ペーパに記憶されていると判断された場合に、当該コンテンツＩＤと対応付けられて同電子ペーパに記憶されている表示データを当該電子ペーパに表示させる表示制御手段と、を備えたことを特徴としている。
【０００９】
本発明に係る電子ペーパは、電子下敷に着脱自在に装着され、複数の表示データを記憶している電子ペーパであって、電子下敷に装着されたことを検出する下敷検出手段と、この下敷検出手段により電子下敷に装着されたことが検出された際に、当該電子下敷から表示対象のコンテンツＩＤを取得する表示対象取得手段と、この表示対象取得手段により取得されたコンテンツＩＤに対応する表示データが記憶されているか否かを判断する表示有無判断手段と、この表示有無判断手段により前記取得されたコンテンツＩＤに対応する表示データが記憶されていると判断された場合に、当該表示データを本電子ペーパに表示させる表示制御手段と、を備えたことを特徴としている。
【発明の効果】
【００１０】
本発明によれば、サーバ上でのデータ容量に問題が生じることなく、電子ペーパに、当該電子ペーパを載せた下敷に応じたコンテンツの表示データを再表示させることが可能になる。
【図面の簡単な説明】
【００１１】
【図１】本発明の実施形態に係る電子ペーパ記録装置（片面タイプ）１０Ａの構成を示す図であり、同図（Ａ）は外観構成を示す斜視図、同図（Ｂ）は１枚の電子ペーパ（片面タイプ）１１Ａを抜き出して示す正面図。
【図２】本発明の実施形態に係る電子ペーパ記録装置（両面タイプ）１０Ｂの構成を示す図であり、同図（Ａ）は外観構成を示す斜視図、同図（Ｂ）は１枚の電子ペーパ（両面タイプ）１１Ｂを抜き出し裏面にして示す正面図。
【図３】前記電子ペーパ記録装置１０Ａ，１０Ｂにおける電子ペーパ１１Ａ，１１Ｂの構成を示す図であり、同図（Ａ）は電子ペーパ（片面タイプ）１１Ａを表側から見て示す構成図、同図（Ｂ）は電子ペーパ（両面タイプ）１１Ｂを裏側から見て示す構成図。
【図４】前記電子ペーパ記録装置１０Ａ，１０Ｂにおける電子下敷１２Ａ，１２Ｂの構成を示す図であり、同図（Ａ）は電子下敷（片面タイプ）１２Ａを正面から見て示す構成図、同図（Ｂ）は見開き型電子下敷１２Ｂの左面を見て示す構成図、同図（Ｃ）は電子下敷１２Ａ，１２Ｂ（右面）の縦断面構成図。
【図５】前記電子ペーパ記録装置１０Ａ，１０Ｂにおいて電子下敷１２Ａ，１２Ｂのバインダ部１３，１６に対応させて設けた電子ペーパ１１Ａ，１１Ｂへの電源供給と通信接続を行うための電磁誘導部（平面タイプ）の構成を示す図。
【図６】前記電子ペーパ記録装置１０Ａ，１０Ｂにおいて電子下敷１２Ａ，１２Ｂのバインダ部１３，１６に対応させて設けた電子ペーパ１１Ａ，１１Ｂへの電源供給と通信接続を行うための電磁誘導部（凸面タイプ）の構成を示す図。
【図７】前記電子ペーパ記録装置１０Ａ，１０ＢをネットワークＮ上のクラウドコンピューティングシステムの端末として組み込んだ場合の電子回路の構成を示すブロック図。
【図８】前記電子ペーパ記録装置１０Ａ，１０Ｂの電子下敷１２Ｂ（１２Ａ）の情報記憶装置３０にて記憶管理される電子ペーパ管理テーブル（下敷）５４の内容を示す図。
【図９】前記電子ペーパ記録装置１０Ａ，１０Ｂの電子ペーパ１１Ｂ（１１Ａ）の情報記憶装置２１にて記憶管理される表示コンテンツ記憶部２１Ｄの内容を示す図。
【図１０】前記電子ペーパ記録装置１０Ａ，１０Ｂを端末として組み込んだクラウドコンピューティングシステムにおける第１実施形態の電子下敷１２Ａ，１２Ｂでの処理（その１）を示すフローチャート。
【図１１】前記電子ペーパ記録装置１０Ａ，１０Ｂを端末として組み込んだクラウドコンピューティングシステムにおける第１実施形態の電子下敷１２Ａ，１２Ｂでの処理（その２）を示すフローチャート。
【図１２】前記電子ペーパ記録装置１０Ａ，１０Ｂを端末として組み込んだクラウドコンピューティングシステムにおける電子ペーパ１１Ａ，１１Ｂでの処理を示すフローチャート。
【図１３】本発明の第２実施形態に係る電子ペーパ記録装置１０Ｂを端末としネットワーク（インターネット）Ｎ上の電子ペーパ管理サーバ５３にウェブアクセスベースで接続して使用する場合の構成例を示すブロック図。
【図１４】前記電子ペーパ管理サーバ５３の電子ペーパ管理部５８ｂにて記憶管理される電子ペーパ管理テーブル（サーバ）６２の内容を示す図。
【図１５】前記図１０で示した第１実施形態の電子下敷１２Ａ，１２Ｂでの処理（その１）の一部に入れ替えられる第２実施形態の電子下敷１２Ｂでの処理（その１）を示すフローチャート。
【図１６】前記図１０および図１１で示した第１実施形態の電子下敷１２Ａ，１２Ｂでの処理に追加される第２実施形態の電子下敷１２Ｂでの処理（その２）を示すフローチャート。
【図１７】前記第２実施形態の電子ペーパ記録装置１０Ｂを端末として組み込んだクラウドコンピューティングシステムにおける電子ペーパ管理サーバ５３での処理を示すフローチャート。
【図１８】本発明の第３実施形態に係る電子ペーパ記録装置１０Ａ，１０Ｂの主要動作を説明する図。
【図１９】本発明の第４実施形態に係る電子ペーパ記録装置１０Ａ，１０Ｂの主要動作を説明する図。
【発明を実施するための形態】
【００１２】
以下図面により本発明の実施の形態について説明する。
【００１３】
（第１実施形態）
図１は、本発明の実施形態に係る電子ペーパ記録装置（片面タイプ）１０Ａの構成を示す図であり、同図（Ａ）は外観構成を示す斜視図、同図（Ｂ）は１枚の電子ペーパ（片面タイプ）１１Ａを抜き出して示す正面図である。
【００１４】
この電子ペーパ記録装置（片面タイプ）１０Ａは、その表面に不揮発性表示装置１７を有する複数枚の電子ペーパ（片面タイプ）１１Ａ…と、この複数枚の電子ペーパ１１Ａ…を重ねて載置する電子下敷（片面タイプ）１２Ａとを備え、各電子ペーパ１１Ａ…は電子下敷１２Ａの左側中央に設けられた片面バインダ部１３にその左辺中央を挟み込ませて綴じられる。
【００１５】
電子下敷１２Ａは、その表面における電子ペーパ１１Ａ…の載置面に対応させて例えば電磁誘導方式によるタブレット１４を備え、このタブレット１４によって電子ペン１５による最上部の電子ペーパ１１Ａ上での手書き位置に対応する座標位置を検出する。そして、バインダ部１３を利用して設けられた後述の非接触型の電源供給手段及び通信手段（図３〜図６参照）を介して電子ペーパ１１Ａに内蔵された表示用の記憶装置に対し前記手書き位置の検出座標に対応した表示データ、あるいは外部の情報提供装置から取得された各種コンテンツの表示データを記憶させ、電子ペーパ１１Ａの不揮発性表示装置１７を表示動作させる。
【００１６】
電子ペーパ１１Ａの不揮発性表示装置１７は、例えば透明の電極板間に＋に帯電した黒色粒子と−に帯電した白色粒子とを交互にマトリクス状に仕切って封入し、一方の電極板を−（マイナス）に帯電させることで黒色表示となり、＋（プラス）に帯電させることで白色表示となるもので、当該電極板は電圧の印加によってその最後に印加した電圧の極性に帯電し、無電源状態での表示が保持される。
【００１７】
これにより、電子下敷１２Ａおよびそのバインダ部１３を介して外部から入力された表示データを電子ペーパ１１Ａにて表示できるだけでなく、前記電子ペン１５によって直接的に書き込んだ手書きデータをも表示させることができ、しかもその電子ペーパ１１Ａを、図１（Ｂ）に矢印ａで示すように、電子下敷１２Ａから取り外すことで、通常の紙と同じように取り扱うことができる。
【００１８】
図２は、本発明の実施形態に係る電子ペーパ記録装置（両面タイプ）１０Ｂの構成を示す図であり、同図（Ａ）は外観構成を示す斜視図、同図（Ｂ）は１枚の電子ペーパ（両面タイプ）１１Ｂを抜き出し裏面にして示す正面図である。
【００１９】
この電子ペーパ記録装置（両面タイプ）１０Ｂで使用する複数枚の電子ペーパ（両面タイプ）１１Ｂ…は、その表面と裏面との両面にそれぞれ前述の不揮発性表示装置１７Ｒ，１７Ｌを有し、見開き型電子下敷１２Ｂの中央に設けられた見開きバインダ部１６によってそれぞれその一端部が貫通されて綴じられる。
【００２０】
見開き型電子下敷１２Ｂは、その左右の各見開き面における電子ペーパ１１Ｂ…の載置面にそれぞれ例えば電磁誘導方式によるタブレット１４Ｒ，１４Ｌを備え、このタブレット１４Ｒ，１４Ｌの各々によって電子ペン１５による右側最上部の電子ペーパ１１Ｂの表面上と左側最上部の電子ペーパ１１Ｂの裏面上での手書き位置に対応する座標位置を検出する。そして、見開きバインダ部１６に対応して設けられた後述の非接触型の電源供給手段及び通信手段（図３〜図６参照）を介して電子ペーパ１１Ｂに内蔵された表示用の記憶装置に対し前記表面と裏面の各手書き位置の検出座標に対応した表示データ、あるいは外部の情報提供装置から取得された各種コンテンツの表示データを記憶させ、電子ペーパ１１Ｂをその両面の不揮発性表示装置１７Ｒ，１７Ｌで表示動作させる。
【００２１】
これにより、電子下敷１２Ｂおよびその見開きバインダ部１６を介して外部から入力された表示データを電子ペーパ（両面タイプ）１１Ｂの表裏面にて表示できるだけでなく、前記電子ペン１５によって直接的に書き込んだ手書きデータをも同表裏面に表示させることができ、しかもその電子ペーパ１１Ｂを、図２（Ｂ）に矢印ｃで示すように、電子下敷１２Ｂから取り外すことで、通常の表と裏のある紙と同じように取り扱うことができる。
【００２２】
図３は、前記電子ペーパ記録装置１０Ａ，１０Ｂにおける電子ペーパ１１Ａ，１１Ｂの構成を示す図であり、同図（Ａ）は電子ペーパ（片面タイプ）１１Ａを表側から見て示す構成図、同図（Ｂ）は電子ペーパ（両面タイプ）１１Ｂを裏側から見て示す構成図である。
【００２３】
なお、表側から見た電子ペーパ（片面タイプ）１１Ａの構成と電子ペーパ（両面タイプ）１１Ｂの構成とは同じである。
【００２４】
電子ペーパ１１Ａ，１１Ｂには、その中央の略全領域に渡って不揮発性表示装置（表）１７（１７Ｒ），（裏）１７Ｌが設けられ、また綴じ込み部１８には、フレキシブルＩＣチップからなる制御装置１９、個別の電子ペーパＩＤを記憶するＩＤ記憶部２０、表示データを記憶する（情報）記憶装置２１が表裏共用として内蔵される。
【００２５】
さらに、前記綴じ込み部１８の中央に設けられた一方のバインダ用貫通孔１６ａの周囲には非接触型の電磁誘導電源部２２が表裏共用として内蔵され、また、もう一方のバインダ用貫通孔１６ｂの周囲には非接触型の通信装置２３が表裏共用として内蔵される。
【００２６】
また、電子ペーパ１１Ａ，１１Ｂの表側上部と、電子ペーパ１１Ｂの裏側上部とには、それぞれキーやタッチパッドなどを使用した入力装置２４（２４Ｒ），２４Ｌが設けられ、当該ペーパ上部の前記綴じ込み部１８とは反対の端部には、光センサを使用した重なり検出センサ２５（２５Ｒ），２５Ｌが設けられる。
【００２７】
そして、前記電子ペーパ１１Ａ，１１Ｂにおける不揮発性表示装置（表）１７（１７Ｒ），（裏）１７Ｌの４角の位置には、当該電子ペーパ１１Ａ，１１Ｂの電子下敷タブレット１４（１４Ｒ），１４Ｌに対する載置位置の位置ずれ検出のためのキャリブレーションポインタ２６ａ〜２６ｄが表裏共用として内蔵される。
【００２８】
図４は、前記電子ペーパ記録装置１０Ａ，１０Ｂにおける電子下敷１２Ａ，１２Ｂの構成を示す図であり、同図（Ａ）は電子下敷（片面タイプ）１２Ａを正面から見て示す構成図、同図（Ｂ）は見開き型電子下敷１２Ｂの左面を見て示す構成図、同図（Ｃ）は電子下敷１２Ａ，１２Ｂ（右面）の縦断面構成図である。
【００２９】
なお、正面から見た電子下敷（片面タイプ）１２Ａの構成と見開き型電子下敷１２Ｂの右面を見た構成とは同じである。
【００３０】
電子下敷１２Ａ，１２Ｂには、その中央の略全領域に渡って例えば電磁誘導方式のタブレット１４（１４Ｒ），１４Ｌが設けられ、またペーパ綴じ込み部２７には、ＩＣチップからなる制御装置２８、個別の電子下敷ＩＤを記憶するＩＤ記憶部２９、電子ペーパ１１Ａ，１１Ｂに対する表示用データなどを記憶する（情報）記憶装置３０が内蔵される。
【００３１】
また、電子下敷１２Ａ，１２Ｂの右端部、同電子下敷１２Ｂの左端部には、それぞれキーやタッチパッドなどを使用した下敷用入力装置３１（３１Ｒ），３１Ｌが設けられ、さらに上端部にはＬＣＤモニタなど常時電源供給の必要な表示装置をコネクタ接続するための接触型表示Ｉ／Ｆ（インターフェイス）３２、外部の通信ネットワークやそのネットワーク上にあるサーバコンピュータなどとの接続を図るための外部接続装置３３が設けられる。
【００３２】
さらに、前記ペーパ綴じ込み部２７のバインダ位置に対応させた中央部分には、電磁誘導電源供給部３５（３５Ｒ），３５Ｌが内蔵され、この電磁誘導電源供給部３５（３５Ｒ），３５Ｌから電磁誘導によって前記電子ペーパ１１Ａ，１１Ｂへの非接触電源供給を行うための電源供給用コア３４（３４Ｒ），３４Ｌが設けられる。
【００３３】
また、同ペーパ綴じ込み部２７のバインダ位置に対応させた中央部分には、通信装置３７（３７Ｒ），３７Ｌが内蔵され、この通信装置３７（３７Ｒ），３７Ｌから電磁誘導によって前記電子ペーパ１１Ａ，１１Ｂへの非接触通信を行うための通信用コア３６（３６Ｒ），３６Ｌが設けられる。
【００３４】
そしてこの電子下敷１２Ａ，１２Ｂには、例えば充電式のバッテリ３８が内蔵され、このバッテリ３８によって前記タブレット１４（１４Ｒ），１４Ｌ、制御装置２８、ＩＤ記憶部２９、記憶装置３０、下敷用入力装置３１（３１Ｒ），３１Ｌ、接触型表示Ｉ／Ｆ３２を介して接続される外部の表示装置にそれぞれ電力が供給されると共に、前記電磁誘導電源供給部３５（３５Ｒ），３５Ｌから電源供給用コア３４（３４Ｒ），３４Ｌを介して当該電子下敷１２Ａ，１２Ｂに載置される前記電子ペーパ１１Ａ，１１Ｂへと非接触で電力が供給される。
【００３５】
図５は、前記電子ペーパ記録装置１０Ａ，１０Ｂにおいて電子下敷１２Ａ，１２Ｂのバインダ部１３，１６に対応させて設けた電子ペーパ１１Ａ，１１Ｂへの電源供給と通信接続を行うための電磁誘導部（平面タイプ）の構成を示す図である。
【００３６】
この電磁誘導部（平面タイプ）は、バインダ用貫通孔１６ａ，１６ｂ（図３参照）を持たない電子ペーパ１１Ａ，１１Ｂの綴じ込み部１８の電磁誘導電源部２２と通信部２３に対して電磁誘導による電源供給と通信接続を行うもので、電子ペーパ（片面タイプ）１１Ａおよび（両面タイプ）１１Ｂの何れの場合でも、電子下敷１２Ａ，１２Ｂの電磁誘導電源供給部３５（３５Ｒ），３５Ｌや通信装置３７（３７Ｒ），３７Ｌに設けた下敷側コア３９の先端露出面に対応する位置にはペーパ内コア４０…が内蔵され、このペーパ内コア４０の周囲を囲むように信号取り出し用の平面コイル４１が内蔵される。
【００３７】
なお、図５（Ａ１）で示す電子下敷（片面タイプ）１２Ａの電磁誘導部の場合には、その電子ペーパ（片面タイプ）１１Ａを綴じ込むバインダ部１３の内部にも下敷側コア３９を延長させ、当該電子ペーパ（片面タイプ）１１Ａのペーパ内コア４０…と合わせて電磁力線の磁束ループが損失少なく形成されるようにする。同図５（Ａ１）において４２はバインダ部１３の綴じ込み力を有するヒンジである。
【００３８】
すなわち、電子ペーパ（片面タイプ）１１Ａ…の綴じ込み部１８にペーパ内コア４０…を設けた場合には、設けない場合に較べて、下敷側コア３９との間で当該ペーパ内コア４０…を介し磁気抵抗が低くなり漏れ磁束少なく磁束ループがスムーズに通過形成されるので、電子下敷１２Ａ，１２Ｂの電磁誘導電源供給部３５（３５Ｒ），３５Ｌから出力される電源エネルギ信号、そして、通信部３７（３７Ｒ），３７Ｌから送信される通信信号は、下敷側コイル４３から下敷側コア３９を経て、電子ペーパ１１Ａ，１１Ｂのペーパ内コア４０…からペーパ側平面コイル４１へと効率よく伝送され、その電磁誘導電源部２２へと電源供給され、通信部２３へと受信されるようになる。
【００３９】
図６は、前記電子ペーパ記録装置１０Ａ，１０Ｂにおいて電子下敷１２Ａ，１２Ｂのバインダ部１３，１６に対応させて設けた電子ペーパ１１Ａ，１１Ｂへの電源供給と通信接続を行うための電磁誘導部（凸面タイプ）の構成を示す図である。
【００４０】
この電磁誘導部（凸面タイプ）は、バインダ用貫通孔１６ａ，１６ｂ（図３参照）を有する電子ペーパ１１Ａ，１１Ｂの綴じ込み部１８の電磁誘導電源部２２と通信部２３に対して電磁誘導による電源供給と通信接続を行うもので、図６（Ａ１）に示すように、電子ペーパ（片面タイプ）１１Ａの場合には、電子下敷（片面タイプ）１２Ａの電磁誘導電源供給部３５や通信装置３７に対応して設けたバインダ兼用凸型コア３９ａを電子ペーパ（片面タイプ）１１Ａの綴じ込み部１８におけるバインダ用貫通孔１６ａ，１６ｂに挿通係止させ、当該電子ペーパ（片面タイプ）１１Ａの綴じ込みを行う。
【００４１】
また、図６（Ｂ）に示すように、電子ペーパ（両面タイプ）１１Ｂの場合には、電子下敷（両面タイプ）１２Ｂの電磁誘導電源供給部３５や通信装置３７に対応して設けたバインダ兼用凸型リング状コア３９ｂ（１６）を電子ペーパ（両面タイプ）１１Ｂの綴じ込み部１８におけるバインダ用貫通孔１６ａ，１６ｂに挿通係止させ、当該電子ペーパ（両面タイプ）１１Ｂの綴じ込みを行う。同図６（Ｂ）において４４は見開きバインダ部１６（３９ｂ）の綴じ込み力を有するヒンジである。
【００４２】
なお、図６で示すバインダ用貫通孔１６ａ，１６ｂを有する電子ペーパ１１Ａ，１１Ｂに対しての電子下敷１２Ａ，１２Ｂの電磁誘導部の場合には、一方の電子下敷（片面タイプ）１２Ａの場合、他方の電子下敷（両面タイプ）１２Ｂの場合の何れにあっても、バインダ兼用凸型コア３９ａあるいはバインダ兼用凸型リング状コア３９ｂによって電子ペーパ１１Ａ，１１Ｂのバインダ用貫通孔１６ａ，１６ｂを通過する環状コアが形成されるので、電磁力線の磁束ループがより損失なく形成される。
【００４３】
すなわち、電子下敷１２Ａ，１２Ｂの電磁誘導電源供給部３５（３５Ｒ），３５Ｌから出力される電源エネルギ信号、そして、通信部３７（３７Ｒ），３７Ｌから送信される通信信号は、下敷側コイル４３からバインダ兼用凸型コア３９ａあるいはバインダ兼用凸型リング状コア３９ｂを経て、電子ペーパ１１Ａ，１１Ｂのペーパ側平面コイル４１へとより効率よく伝送され、その電磁誘導電源部２２へと電源供給され、通信部２３へと受信されるようになる。
【００４４】
一方、電子下敷１２Ａ（１２Ｂ）のタブレット１４上に載置された電子ペーパ１１Ａ（１１Ｂ）上で電子ペン１５によって手書き作業を行うと、当該電子ペン１５による書き込み位置は、電子下敷１２Ａ（１２Ｂ）のタブレット１４によって座標検出される。
【００４５】
この際、電子ペーパ１１Ａ（１１Ｂ）のタブレット１４上での載置位置は、電磁誘導コイルによって構成されたキャリブレーションポインタ２６ａ〜２６ｄの各位置が同タブレット１４によって座標検出されることで、その規定の載置位置からの座標の位置ずれが電子下敷１２Ａ（１２Ｂ）の制御装置２８によって計算検出される。
【００４６】
これにより、電子ペーパ１１Ａ（１１Ｂ）上での電子ペン１５での書き込み作業に伴い電子下敷１２Ａ（１２Ｂ）のタブレット１４によって検出される座標位置は、前記計算検出された電子ペーパ１１Ａ（１１Ｂ）の規定の載置位置からの位置ずれ量に応じて補正され、この補正後の書き込み座標位置に従って電子ペーパ１１Ａ（１１Ｂ）の通信部２３から（情報）記憶装置２１に対し書き込み軌跡の表示データが記憶され、不揮発性表示装置１７での手書きデータ表示が行われる。
【００４７】
また、例えば、電子下敷（両面タイプ）１２Ｂの左面のタブレット１４Ｌ上に１枚の電子ペーパ１１Ｂ（Ａ）が開かれ、また右面のタブレット１４Ｒ上には２枚の電子ペーパ１１Ｂが（Ｃ）→（Ｂ）の順に重ねられている状態では、左面のタブレット１４Ｌ上にある電子ペーパ１１Ｂ（Ａ）の裏面側重なり検出センサ２５Ｌに受光が検出され「重なり無し」と判別されると共に、キャリブレーションポインタ２６ａ〜２６ｄによってその座標位置がタブレット１４Ｌに検出されるので、当該電子ペーパ１１Ｂ（Ａ）は電子下敷（両面タイプ）１２Ｂの左面上で有効（アクティブ）と判別される。
【００４８】
また、右面のタブレット１４Ｒ上に重ねてある２枚の電子ペーパ１１Ｂ（Ｃ）（Ｂ）については、何れの電子ペーパ１１Ｂ（Ｃ）（Ｂ）もそのキャリブレーションポインタ２６ａ〜２６ｄによってタブレット１４Ｒに検出される一方で、電子ペーパ１１Ｂ（Ｂ）の表側重なり検出センサ２５Ｒにだけ受光が検出されて「重なり無し」と判別されるので、当該電子ペーパ１１Ｂ（Ｂ）は電子下敷（両面タイプ）１２Ｂの右面上で有効（アクティブ）と判別される。
【００４９】
なお、中立している電子ペーパ１１Ｂがある場合、表裏面側重なり検出センサ２５Ｒ，２５Ｌに受光が検出され「重なり無し」と判別される一方で、そのキャリブレーションポインタ２６ａ〜２６ｄからの電磁誘導信号は電子下敷１２Ｂにおける左右何れのタブレット１４Ｌ，１４Ｒにも検出されないので、当該中立の電子ペーパ１１Ｂは無効（非アクティブ）と判別される。
【００５０】
従って、電子下敷１２Ｂの制御装置２８では、その電磁誘導部を介して非接触で通信接続されている各電子ペーパ１１Ｂ…それぞれのＩＤ（Ａ）（Ｂ）（Ｃ）…に対応付けて、その表裏の重なり検出センサ２５Ｒ，２５Ｌによる重なり有無検出、キャリブレーションポインタ２６ａ〜２６ｄによるアクティブ有無検出、各ペーパサイズなどを収集管理することで、左右それぞれのタブレット１４Ｌ，１４Ｒ上にある有効（アクティブ）な電子ペーパ１１Ｂを判別でき、外部接続される情報端末から取得した各種コンテンツの表示データや前記左右のタブレット１４Ｌ，１４Ｒにて検出された電子ペン１５による手書きデータ、あるいは入力装置３１Ｌ，３１Ｒから入力された文字データ等を、前記電磁誘導部を介してその有効（アクティブ）な電子ペーパ１１ＢのＩＤを有する不揮発性表示装置１７Ｌ，１７Ｒに表示させることができる。
【００５１】
図７は、前記電子ペーパ記録装置１０Ａ，１０ＢをネットワークＮ上のクラウドコンピューティングシステムの端末として組み込んだ場合の電子回路の構成を示すブロック図である。
【００５２】
これによれば、電子下敷１２Ｂ（１２Ａ）にＷｅｂブラウザを組み込むことで、ネットワークＮ上の情報提供サーバ５３Ｗ…から選択的に取得される任意のコンテンツの表示データを電子ペーパ１１Ａ（１１Ｂ）に表示させることができる。
【００５３】
電子ペーパ１１Ａ（１１Ｂ）の電子回路は、前記図３を参照して説明したように、例えばフレキシブルＩＣチップのコンピュータである低機能ＣＰＵからなる制御装置１９を中心にして、不揮発性表示装置１７（１７Ｒ，１７Ｌ）、ＩＤ記憶部２０、情報記憶装置２１、電磁誘導電源部２２、通信装置２３、入力装置２４（２４Ｒ，２４Ｌ）、重なり検出センサ２５（２５Ｒ，２５Ｌ）、キャリブレーションポインタ２６ａ〜２６ｄが接続される。
【００５４】
電子下敷１２Ｂ（１２Ａ）の電子回路は、前記図４を参照して説明したように、例えばフレキシブルなＩＣチップのコンピュータである低機能ＣＰＵからなる制御装置２８を中心にして、タブレット１４Ｒ，１４Ｌ（１４）、ＩＤ記憶部２９、情報記憶装置３０、入力装置３１Ｒ，３１Ｌ（３１）、接触型表示Ｉ／Ｆ３２、外部接続装置３３、電磁誘導電源供給部３５Ｒ，３５Ｌ（３５）、通信装置３７Ｒ，３７Ｌ（３７）、電源部（バッテリ）３８が接続される。
【００５５】
前記電子ペーパ１１Ａ（１１Ｂ）…は、前記電子下敷１２Ｂ（１２Ａ）に対して、前記図１，図２で示したように、そのバインダ部１６（１３）によってタブレット１４Ｒ，１４Ｌ（１４）上に載置して綴じることで、前記図５，図６で示したような電磁誘導部を介して、電子下敷１２Ｂ（１２Ａ）の電磁誘導電源供給部３５Ｒ，３５Ｌ（３５）が電子ペーパ１１Ａ（１１Ｂ）…の電磁誘導電源部２２に電磁接続され、また電子下敷１２Ｂ（１２Ａ）の通信装置３７Ｒ，３７Ｌ（３７）が電子ペーパ１１Ａ（１１Ｂ）…の通信装置２３に電磁接続される。
【００５６】
そして、電子ペーパ１１Ａ（１１Ｂ）…のキャリブレーションポインタ２６ａ〜２６ｄから発生される電磁誘導信号が電子下敷１２Ｂ（１２Ａ）のタブレット１４Ｒ，１４Ｌ（１４）により座標検出されることで、当該タブレット１４Ｒ，１４Ｌ（１４）に対する電子ペーパ１１Ａ（１１Ｂ）…の載置位置が検出される。
【００５７】
電子ペン１５は、当該ペンＩＤを記憶するＩＤ記憶部１５ａと、このＩＤ記憶部１５ａに記憶されたペンＩＤを読み出してコード信号を生成出力するＩＣチップの制御部１５ｂと、この制御部１５ｂにより生成出力されたペンＩＤのコード信号を電磁誘導信号に変換して出力するコイルを備えた通信装置１５ｃを有する。
【００５８】
前記電子ペーパ１１Ａ（１１Ｂ）の各回路部を制御装置１９が制御するためのプログラムデータは情報記憶装置２１に記憶され、またこの情報記憶装置２１には、当該電子ペーパ１１Ａ（１１Ｂ）の仕様である固有情報の他、入力装置２４（２４Ｒ，２４Ｌ）からのキー操作入力だけでなく、電子ペン１５からの電子下敷１２Ｂ（１２Ａ）による手書き位置検出入力、あるいは外部接続された情報提供サーバ５３Ｗからのテキスト・画像などの各種コンテンツの入力に応じたデータを不揮発性表示装置１７（１７Ｒ，１７Ｌ）に表示させるための表示データなども記憶される。
【００５９】
なお、この電子ペーパ１１Ａ（１１Ｂ）の情報記憶装置２１には、当該電子ペーパ１１Ａ（１１Ｂ）の不揮発性表示装置１７（１７Ｒ，１７Ｌ）によって表示された各種コンテンツの表示データを、そのコンテンツＩＤに対応付けて保存するための記憶領域（図９参照）が確保される。
【００６０】
前記電子下敷１２Ｂ（１２Ａ）の各回路部を制御装置２８が制御するためのプログラムデータ（Ｗｅｂブラウザ含む）は情報記憶装置３０に記憶され、またこの情報記憶装置３０には、綴じ込みされた各電子ペーパ１１Ａ（１１Ｂ）…を管理するための管理情報（図８参照）の他、入力装置３１Ｒ，３１Ｌ（３１）からのキー操作入力だけでなく、タブレット１４Ｒ，１４Ｌ（１４）による前記電子ペン１５からの手書き位置検出入力、あるいは外部接続された情報提供サーバ５３Ｗ…からのテキスト・画像などの各種コンテンツの入力に応じたデータを、現在有効（アクティブ）な電子ペーパ１１Ａ（１１Ｂ）へ送信して表示させるための表示データなども一時記憶される。
【００６１】
そして、表示装置４５は、前記電子ペーパ１１Ａ（１１Ｂ）…と同様にして前記電子下敷１２Ｂ（１２Ａ）のバインダ部１６（１３）に必要に応じて綴じられ、その各々の接触型表示Ｉ／Ｆ３２，５２によって接続される。この表示装置４５においても、電子ペン１５からの電子下敷１２Ｂ（１２Ａ）による手書き位置検出入力、あるいは外部接続された情報提供サーバ５３Ｗ…からのテキスト・画像などの各種コンテンツの入力に応じたデータをＬＣＤ表示装置４６にて表示できる。
【００６２】
ここで、前記電子下敷１２Ｂ（１２Ａ）の外部接続装置３３に外部接続されるネットワークＮ上の情報提供サーバ５３Ｗ…は、当該外部接続装置３３との有線通信又は無線通信により接続されるＰＣや携帯電話などの通信端末装置６１を中継して接続する構成としてもよいし、直接接続する構成としてもよい。
【００６３】
なお、前記図７において示す、ネットワークＮ上の電子ペーパ管理サーバ５３については、後述の第２実施形態において説明する。
【００６４】
図８は、前記電子ペーパ記録装置１０Ａ，１０Ｂの電子下敷１２Ｂ（１２Ａ）の情報記憶装置３０にて記憶管理される電子ペーパ管理テーブル（下敷）５４の内容を示す図である。
【００６５】
なお、この図８の具体例では、両面タイプの電子下敷１２Ｂ（下敷ＩＤ：あ）にて記憶管理される電子ペーパ管理テーブル（下敷）５４について示す。
【００６６】
この電子ペーパ管理テーブル（下敷）５４には、電子下敷１２Ｂのバインダ部１６に電子ペーパ１１Ｂ…が綴じられてタブレット１４Ｒ，１４Ｌ上に載置された際に、当該電子ペーパ１１Ｂ…のそれぞれから通信受信される各電子ペーパ１１Ｂ…の固有情報（電子ペーパＩＤ・表裏コード・サイズ）および重なり検出センサ２５Ｒ，２５Ｌによる重なり検出情報と、各電子ペーパ１１Ｂ…のキャリブレーションポインタ２６ａ〜２６ｄの位置がタブレット１４Ｒ，１４Ｌにより座標検出されることによって認識される手書き位置の補正情報および前記重なり検出情報を加えて判別されるアクティブ（有効）情報が記憶されると共に、各電子ペーパ１１Ｂ…の表裏それぞれに表示されている表示情報（表示データのコンテンツＩＤ・手書きデータとその位置）も記憶される。
【００６７】
そして、電子ペーパ管理テーブル（下敷）５４に記憶される各種の情報のうち、前記重なり検出情報、手書き位置の補正情報、アクティブ（有効）情報については、リアルタイムに更新されて記憶される。
【００６８】
よって、この電子ペーパ管理テーブル（下敷）５４に従って、電子下敷１２Ｂ（１２Ａ）の右面と左面とにおける現在有効（アクティブ）な電子ペーパ１１Ａ（１１Ｂ）を認識し、当該有効（アクティブ）な電子ペーパＩＤに基づいた操作信号の入力処理および表示データの表示処理、登録処理を実行する。
【００６９】
図９は、前記電子ペーパ記録装置１０Ａ，１０Ｂの電子ペーパ１１Ｂ（１１Ａ）の情報記憶装置２１にて記憶管理される表示コンテンツ記憶部２１Ｄの内容を示す図である。
【００７０】
なお、この図９の具体例では、両面タイプの電子ペーパ１１Ｂ（ペーパＩＤ：Ｂ）にて記憶管理される表示コンテンツ記憶部２１Ｄについて示す。
【００７１】
この表示コンテンツ記憶部２１Ｄには、例えば、複数の電子下敷１２Ｂ…に代わる代わる装着され、当該各電子下敷１２Ｂ…からの電力供給と表示制御に伴い各種コンテンツの表示データがアクティブ（有効）な表面（１）または裏面（２）の不揮発性表示装置１７Ｒ，１７Ｌに表示される毎に、その表示データがコンテンツＩＤに対応付けられて記憶され保存される。
【００７２】
つまり、電子ペーパ１１Ｂ（１１Ａ）は、当該ペーパ自身が表示した各種コンテンツの表示データを、同ペーパ自身において記憶保持する。
【００７３】
次に、前記構成の電子ペーパ記録装置１０Ａ，１０Ｂをクラウドコンピューティングシステムの端末として組み込んだ場合（図７〜図９参照）の動作について説明する。
【００７４】
図１０は、前記電子ペーパ記録装置１０Ａ，１０Ｂを端末として組み込んだクラウドコンピューティングシステムにおける第１実施形態の電子下敷１２Ａ，１２Ｂでの処理（その１）を示すフローチャートである。
【００７５】
図１１は、前記電子ペーパ記録装置１０Ａ，１０Ｂを端末として組み込んだクラウドコンピューティングシステムにおける第１実施形態の電子下敷１２Ａ，１２Ｂでの処理（その２）を示すフローチャートである。
【００７６】
なおここでは、下敷ＩＤ“あ”である電子下敷１２Ｂでの処理について説明する。
【００７７】
電子ペーパ記録装置（両面タイプ）１０Ｂの電子下敷（両面タイプ）“あ”１２Ｂにおいて、電子ペーパ（両面タイプ）１１Ｂが装着されたことが、バインダ部１６における電磁誘導電源供給部３５Ｒ，３５Ｌおよび通信装置３７Ｒ，３７Ｌでの接続検出に応じて制御装置２８に判断されると（ステップＳ１（Ｙｅｓ））、当該装着された電子ペーパ１１ＢのＩＤ記憶部２０からペーパＩＤが読み出され、このペーパＩＤが、情報記憶装置３０に記憶されている電子ペーパ管理テーブル（下敷）５４（図８参照）に登録済みであるか否か判断される（ステップＳ２）。
【００７８】
例えば、前記電子ペーパ（ＩＤ；Ｂ）１１Ｂが本電子下敷１２Ｂにはじめて装着されたことで、そのペーパＩＤが電子ペーパ管理テーブル（下敷）５４に登録されていないと判断されると（ステップＳ２（Ｎｏ））、当該電子ペーパ１１Ｂの情報記憶装置２１に何らかのコンテンツの表示データが記憶されているか否かにより不揮発性表示装置１７に表示があるか否か判断される（ステップＳ３）。
【００７９】
電子ペーパ１１Ｂの不揮発性表示装置１７にコンテンツの表示が無いと判断された状態で（ステップＳ３（Ｎｏ））、当該電子ペーパ１１Ｂの入力装置２４のユーザ操作に応じて表示の変更が指示されると（ステップＳ４（Ｙｅｓ））、後述するステップＳ１５において、同電子ペーパ１１Ｂの情報記憶装置２１の表示コンテンツ記憶部２１Ｄから複数のコンテンツの表示データが読み出し済みであるか否か判断される（ステップＳ５）。
【００８０】
ここで、前記複数のコンテンツの表示データが読み出し済みでないと判断されると（ステップＳ５（Ｎｏ））、外部接続装置３３を介して、ＰＣなどの通信端末装置６１から直接、あるいは当該通信端末装置６１を介してネットワークＮ上の情報提供サーバ５３Ｗから選択的に任意のコンテンツ表示データが取得され（ステップＳ６）、電子ペーパ１１Ｂの不揮発性表示装置１７に表示される（ステップＳ７）。
【００８１】
すると、電子ペーパ１１ＢのＩＤ記憶部２０から読み出されたペーパＩＤと今回表示された任意のコンテンツ表示データのコンテンツＩＤとの組み合わせが、前記情報記憶装置３０の電子ペーパ管理テーブル（下敷）５４（図８参照）に登録されているか否か判断される（ステップＳ８）。
【００８２】
そして、前記電子ペーパ管理テーブル（下敷）５４において、前記電子ペーパ１１ＢのペーパＩＤと表示データのコンテンツＩＤとの組み合わせが登録されていないと判断されると（ステップＳ８（Ｎｏ））、当該電子ペーパ管理テーブル（下敷）５４に対して、電子ペーパ１１ＢのペーパＩＤと表示データのコンテンツＩＤとの組み合わせが登録される（ステップＳ９）。
【００８３】
具体的には、図８に示すように、電子ペーパＩＤ“Ｂ”のアクティブ（有効）な表面“１”に対応付けられてコンテンツＩＤ“３０１”として記憶される。なお、この時点では、前記電子ペーパ“Ｂ”１１ＢにコンテンツＩＤ“３０１”の表示データ“Ｄ３０１”がはじめて表示された状態であるため、同図８中のコンテンツＩＤ“３０２”“３０３”は未だ登録されていない。
【００８４】
このとき、前記コンテンツＩＤ“３０１”の表示データ“Ｄ３０１”が表示された電子ペーパ“Ｂ”１１Ｂの表示コンテンツ記憶部２１Ｄ（図９参照）には、アクティブ（有効）な表面“１”に対応付けられて当該コンテンツＩＤ“３０１”と表示データ“Ｄ３０１”が記憶されて保存される。
【００８５】
そして、前記電子ペーパ“Ｂ”１１Ｂのアクティブ（有効）な表面“１”にコンテンツＩＤ“３０１”の表示データ“Ｄ３０１”が表示されている状態で、電子ペン１５による手書きの入力がタブレット１４Ｒにより検出されると（ステップＳ１０（Ｙｅｓ））、前記電子ペーパ“Ｂ”１１Ｂの表面“１”に表示中のコンテンツ表示データ“Ｄ３０１”上に、当該手書き入力に伴う軌跡が重ねられて表示される（ステップＳ１１）。
【００８６】
そして、この手書き入力に伴う手書きデータとその位置情報は、本電子下敷“あ”１２Ｂの電子ペーパ管理テーブル（下敷）５４において、例えば、図８に示すように、前記電子ペーパＩＤ“Ｂ”のアクティブ（有効）な表面“１”、コンテンツＩＤ“３０１”に対応付けられた手書きデータ”ＨＤＢ１１”とその位置情報“ＰＢ１１”として記憶される（ステップＳ１２）。
【００８７】
一方、前記ステップＳ２において、装着された電子ペーパ１１ＢのペーパＩＤ“Ｂ”が電子ペーパ管理テーブル（下敷）（ＩＤ；あ）５４に登録されていないと判断され（ステップＳ２（Ｎｏ））、前記ステップＳ３において、当該電子ペーパ“Ｂ”１１Ｂの不揮発性表示装置１７のアクティブ（有効）な表面“１”に既にコンテンツ（ＩＤ；３０１）の表示がされていると判断された場合は（ステップＳ３（Ｙｅｓ））、そのペーパＩＤ“Ｂ”とコンテンツＩＤ“３０１”との組み合わせが、前記同様に、電子ペーパ管理テーブル（下敷）（ＩＤ；あ）５４に登録される（ステップＳ１４）。
【００８８】
このとき、前記電子ペーパ“Ｂ”１１Ｂのアクティブ（有効）な表面“１”に既に表示されているコンテンツ“３０１”の表示データ“Ｄ３０１”は、当該ペーパ“Ｂ”１１Ｂ内部の表示コンテンツ記憶部２１Ｄ（図９参照）に既に保存されているので、新たな記憶保存処理は行われない。
【００８９】
そして、前記電子下敷“あ”１２Ｂの電子ペーパ“Ｂ”１１Ｂの表面“１”にコンテンツＩＤ“３０１”の表示データ“Ｄ３０１”が表示されている状態で、電子ペン１５による手書きの入力がタブレット１４Ｒにより検出されると（ステップＳ１０（Ｙｅｓ））、前記電子ペーパ“Ｂ”１１Ｂの表面“１”に表示中のコンテンツ表示データ“Ｄ３０１”上に、当該手書き入力に伴う軌跡が重ねられて表示される（ステップＳ１１）。
【００９０】
そして、この手書き入力に伴う手書きデータとその位置情報は、本電子下敷“あ”１２Ｂの電子ペーパ管理テーブル（下敷）５４において、図８に示すように、電子ペーパＩＤ“Ｂ”のアクティブ（有効）な表面“１”、コンテンツＩＤ“３０１”に対応付けられた手書きデータ”ＨＤＢ１１”とその位置情報“ＰＢ１１”として記憶される（ステップＳ１２）。
【００９１】
この後、前記電子下敷“あ”１２Ｂにおいて、電子ペーパ“Ｂ”１１Ｂが装着されたと判断された際に（ステップＳ１（ステップＳ１（Ｙｅｓ））、そのペーパＩＤ“Ｂ”が前記電子ペーパ管理テーブル（下敷）５４に登録済みであると判断されると（ステップＳ２（Ｙｅｓ））、当該電子ペーパ“Ｂ”１１Ｂに何らかのコンテンツの表示データが表示されているか否か判断される（ステップＳ１４）。
【００９２】
ここで、例えば前記装着された電子ペーパ“Ｂ”１１Ｂのアクティブ（有効）な表面“１”にコンテンツＩＤ“３０１”の表示データ“Ｄ３０１”が表示されていると判断されると（ステップＳ１４（Ｙｅｓ））、前記ステップＳ４〜Ｓ９に従った表示データの変更、登録の処理が実行されたり、前記Ｓ１０〜Ｓ１２に従った手書きデータの表示、記憶の処理が実行されたりする。
【００９３】
この後、例えば図８に示すように、電子下敷“あ”１２Ｂの電子ペーパ管理テーブル（下敷）５４において、電子ペーパＩＤ“Ｂ”と対応付けられて、各コンテンツＩＤと、各手書きデータとその位置が登録され、また、例えば図９に示すように、電子ペーパ“Ｂ”１１Ｂの表示コンテンツ記憶部２１Ｄにおいて、各コンテンツＩＤとその表示データが対応付けられて保存されている状態で、当該電子下敷“あ”１２Ｂに電子ペーパ“Ｂ”１１Ｂが新たに装着された際に（ステップＳ１（Ｙｅｓ））、この電子ペーパ“Ｂ”１１Ｂにおけるアクティブ（有効）な表面“１”の不揮発性表示装置１７Ｒにコンテンツの表示がないと判断されると（ステップＳ２（Ｙｅｓ）→Ｓ１４（Ｎｏ））、前記電子ペーパ管理テーブル（下敷）５４のペーパＩＤ“Ｂ”、アクティブ（有効）な表面“１”に対応付けられて登録されている各コンテンツＩＤ“３０１”“３０２”“３０３”が読み出される（ステップＳ１５）。
【００９４】
すると、装着された電子ペーパ“Ｂ”１１Ｂの表示コンテンツ記憶部２１Ｄから、前記電子ペーパ管理テーブル（下敷）５４から読み出された各コンテンツＩＤ“３０１”“３０２”“３０３”と一致するコンテンツＩＤに対応付けられた表示データ“Ｄ３０１”“Ｄ３０２”“Ｄ３０３”が読み出され（ステップＳ１６）、そのうち最新のコンテンツＩＤ“３０３”の表示データ“Ｄ３０３”が情報記憶装置２１に書き込まれ、アクティブ（有効）な表面“１”の不揮発性表示装置１７Ｒに表示される（ステップＳ１７）。なお、前記装着された電子ペーパ１１ＢのペーパＩＤとそのアクティブ（有効）情報に対応付けられて前記電子ペーパ管理テーブル（下敷）５４に登録されているコンテンツＩＤが１つであって、当該電子ペーパ１１Ｂの表示コンテンツ記憶部２１Ｄから読み出された表示データが１つである場合には、その表示データが同電子ペーパ１１Ｂの不揮発性表示装置１７に表示される。
【００９５】
そして、前記電子ペーパ管理テーブル（下敷）５４において、前記電子ペーパＩＤ“Ｂ”の有効な表面“１”と前記不揮発性表示装置１７Ｒに表示されたコンテンツ表示データ“Ｄ３０３”のＩＤ“３０３”に対応付けられた手書きデータ“ＨＤＢ１３”が登録されていると判断されると（ステップＳ１８（Ｙｅｓ））、当該手書きデータ“ＨＤＢ１３”がその位置情報“ＰＢ１３”に従い前記電子ペーパ“Ｂ”１１Ｂの表面“１”の不揮発性表示装置１７Ｒに表示中のコンテンツ表示データ“Ｄ３０３”上に重畳されて表示される（ステップＳ１９）。
【００９６】
この後、電子ペーパ１１Ｂの入力装置２４のユーザ操作に応じて表示の変更が指示されると（ステップＳ４（Ｙｅｓ））、同電子ペーパ１１Ｂの情報記憶装置２１の表示コンテンツ記憶部２１Ｄから複数のコンテンツの表示データが読み出し済みであるか否か判断される（ステップＳ５）。
【００９７】
ここでは、前記ステップＳ１６において、電子ペーパ“Ｂ”１１Ｂから３つのコンテンツＩＤ“３０１”“３０２”“３０３”に対応付けられた表示データ“Ｄ３０１”“Ｄ３０２”“Ｄ３０３”が読み出し済みであると判断され（ステップＳ５（Ｙｅｓ））、この複数のコンテンツ表示データ“Ｄ３０１”“Ｄ３０２”“Ｄ３０３”の選択項目に、外部からのコンテンツ取り込みを指示する選択項目を加えた表示選択メニューが前記電子ペーパ“Ｂ”１１Ｂの表面“１”の不揮発性表示装置１７Ｒにウインドウ表示される（ステップＳ２０）。
【００９８】
そして、前記ウインドウ表示された表示選択メニューがユーザ操作に応じて選択されると（ステップＳ２１）、先ず、外部からのコンテンツ取り込みを指示する選択項目が選択されたか否か判断される（ステップＳ２２）。
【００９９】
ここで、外部からのコンテンツ取り込みを指示する選択項目が選択されていないと判断された場合に（ステップＳ２２（Ｎｏ））、前記読み出し済みである複数のコンテンツ表示データ“Ｄ３０１”“Ｄ３０２”“Ｄ３０３”の何れかの選択項目が選択された場合には（ステップＳ２３）、当該選択された例えばコンテンツ表示データ“Ｄ３０１”が、電子ペーパ“Ｂ”１１Ｂの情報記憶装置２１に書き込まれ、前記コンテンツ表示データ“Ｄ３０３”が表示されているアクティブ（有効）な表面“１”の不揮発性表示装置１７Ｒに変更されて表示される（ステップＳ２４）。
【０１００】
そして、電子ペーパ１１Ｂの電子ペーパＩＤ“Ｂ”、前記選択表示されたコンテンツ表示データ“Ｄ３０１”のコンテンツＩＤ“３０１”に対応付けられて、電子ペーパ管理テーブル（下敷）５４（図８参照）に手書きデータ“ＨＤＢ１１”が登録されていると判断されると（ステップＳ２５（Ｙｅｓ））、当該手書きデータ“ＨＤＢ１１”がその位置情報“ＰＢ１１”に従い前記電子ペーパ“Ｂ”１１Ｂの表面“１”の不揮発性表示装置１７Ｒに表示中のコンテンツ表示データ“Ｄ３０１”上に重畳されて表示される（ステップＳ２６）。
【０１０１】
一方、前記ステップＳ２２において、前記ウインドウ表示された表示選択メニューから外部からのコンテンツ取り込みを指示する選択項目が選択されたと判断された場合は（ステップＳ２２（Ｙｅｓ））、外部接続装置３３を介して、ＰＣなどの通信端末装置６１から直接、あるいは当該通信端末装置６１を介してネットワークＮ上の情報提供サーバ５３Ｗから選択的に任意のコンテンツ表示データが取得され（ステップＳ６）、前記電子ペーパ“Ｂ”１１Ｂの不揮発性表示装置１７Ｒに表示される（ステップＳ７）。
【０１０２】
ここで、当該電子ペーパ１１ＢのＩＤ記憶部２０から読み出された電子ペーパＩＤ“Ｂ”と今回変更表示された表示データ（例えば“Ｄ３０４”）のコンテンツＩＤ“３０４”との組み合わせが、前記電子ペーパ管理テーブル（下敷）５４（図８参照）に登録されてないと判断されると（ステップＳ８（Ｎｏ））、当該電子ペーパ管理テーブル（下敷）５４の電子ペーパＩＤ“Ｂ”のアクティブ（有効）な表面“１”に対応付けられて、新たなコンテンツＩＤ“３０４”が追加登録される（ステップＳ９）。
【０１０３】
図１２は、前記電子ペーパ記録装置１０Ａ，１０Ｂを端末として組み込んだクラウドコンピューティングシステムにおける電子ペーパ１１Ａ，１１Ｂでの処理を示すフローチャートである。
【０１０４】
電子ペーパ１１Ａ，１１Ｂにおいて、電磁誘導電源部２２からの電力供給や通信装置２３での通信接続に基づき、電子下敷１２Ａ，１２Ｂに対して装着されたことが検出されると（ステップＰ１（Ｙｅｓ））、前記図１０，図１１を参照して説明した電子下敷１２Ａ，１２Ｂによる制御処理の下で、不揮発性表示装置１７に対する表示データの表示処理や表示書き替え処理が実行される（ステップＰ２）。
【０１０５】
この後、電子ペーパ１１Ａ，１１Ｂが電子下敷１２Ａ，１２Ｂから外されることに伴い、当該電子下敷１２Ａ，１２Ｂへの装着が検出されなくなったと判断されると（ステップＰ３（Ｎｏ））、同電子下敷１２Ａ，１２Ｂから外された状態での連続経過時間が測定される（ステップＰ４）。
【０１０６】
そして、前記電子下敷１２Ａ，１２Ｂから外された後の連続経過時間が予め設定された所定時間（例えば６０秒）を経過したと判断されると（ステップＰ５（Ｙｅｓ））、不揮発性表示装置１７に表示されている表示データが消去されて非表示とされる（ステップＰ６）。
【０１０７】
なお、前記電子下敷１２Ａ，１２Ｂから外された後の連続経過時間の測定中において、当該電子下敷１２Ａ，１２Ｂへの装着が再び検出されたと判断されると（ステップＰ７（Ｙｅｓ））、前記図１０，図１１を参照して説明した電子下敷１２Ａ，１２Ｂによる制御処理の下での、不揮発性表示装置１７に対する表示データの表示処理や表示書き替え処理に戻る（ステップＰ２）。
【０１０８】
したがって、前記構成の第１実施形態の電子ペーパ記録装置１０Ａ，１０Ｂによれば、電子下敷１２Ａ（１２Ｂ）において、装着された電子ペーパ１１Ａ（１１Ｂ）に任意のコンテンツの表示データを表示させると、電子ペーパ管理テーブル（下敷）５４に、当該電子ペーパ１１Ａ（１１Ｂ）のペーパＩＤと表示データのコンテンツＩＤとの組み合わせが登録される。電子ペーパ１１Ａ（１１Ｂ）には、新たな表示データが表示される都度、その表示コンテンツ記憶部２１ＤにコンテンツＩＤと対応付けられた表示データが記憶されて保存される。そして、電子ペーパ１１Ａ（１１Ｂ）が新たに装着されると、前記電子ペーパ管理テーブル（下敷）５４に登録されている装着中の電子ペーパ１１Ａ（１１Ｂ）のペーパＩＤに組み合わせられたコンテンツＩＤが読み出され、これと一致するコンテンツＩＤが、当該電子ペーパ１１Ａ（１１Ｂ）の表示コンテンツ記憶部２１Ｄに保存されている場合には、そのコンテンツＩＤと対応付けられた表示データが再表示される。
【０１０９】
このため、ユーザは、電子下敷１２Ａ（１２Ｂ）に電子ペーパ１１Ａ（１１Ｂ）を載せるだけで、この電子下敷１２Ａ（１２Ｂ）を使用して以前表示させたコンテンツの表示データを直ちに読み出して再表示できるようになる。そして、電子ペーパ１１Ａ（１１Ｂ）に表示させる各コンテンツの表示データは、当該電子ペーパ１１Ａ（１１Ｂ）自身が保存しており、管理サーバにての保存を要しない。よって、サーバ上でのデータ容量に問題が生じることなく、電子ペーパに、当該電子ペーパを載せた下敷に応じたコンテンツの表示データを再表示させることが可能になる。
【０１１０】
また、前記構成の電子下敷１２Ａ（１２Ｂ）は、外部接続装置３３を介して外部の通信端末装置（ＰＣ，携帯端末等）６１から取得した任意のコンテンツの表示データ、あるいは当該通信端末装置（ＰＣ，携帯端末等）６１を中継してインターネットＮ上の情報提供サーバ５３Ｗから取得した任意のコンテンツの表示データ、あるいは前記外部接続装置３３を介して直接接続されたインターネットＮ上の情報提供サーバ５３Ｗから取得した任意のコンテンツの表示データを電子ペーパ１１Ａ（１１Ｂ）に表示させることができるので、各電子下敷１２Ａ（１２Ｂ）…の各々において、装着された電子ペーパ１１Ａ（１１Ｂ）にユーザ任意に取得した各種コンテンツの表示データを表示させることができる。
【０１１１】
また、前記構成の電子下敷１２Ａ（１２Ｂ）において、タブレット１４上に装着された電子ペーパ１１Ａ（１１Ｂ）上でのユーザ操作に応じた手書き入力が検出され、その手書きデータが不揮発性表示装置１７に表示中の表示データ上に追記データとして重畳されて表示されると、前記電子ペーパ１１Ａ（１１Ｂ）のペーパＩＤに対応付けられて前記追記データとその位置情報が情報記憶装置３０の電子ペーパ管理テーブル（下敷）５４に登録される。そして、新たに電子ペーパ１１Ａ（１１Ｂ）の装着が検出された際に、当該電子ペーパ１１Ａ（１１Ｂ）のペーパＩＤに対応付けられた追記データが前記電子ペーパ管理テーブル（下敷）５４に登録されている場合には、当該追記データとその位置情報が読み出され、当該電子ペーパ１１Ａ（１１Ｂ）に表示中のコンテンツ表示データ上に重畳されて再表示される。
【０１１２】
このため、ユーザは、電子下敷１２Ａ（１２Ｂ）に電子ペーパ１１Ａ（１１Ｂ）を載せるだけで、この電子下敷１２Ａ（１２Ｂ）を使用して当該電子ペーパ１１Ａ（１１Ｂ）に表示中のコンテンツ表示データ上に以前にユーザ入力して重畳表示させた追記データを直ちに読み出して再表示できるようになる。よって、ユーザはある特定の電子下敷１２Ａ（１２Ｂ）と電子ペーパ１１Ａ（１１Ｂ）との組み合わせによってのみ、当該電子ペーパ１１Ａ（１１Ｂ）の表示データ上にて追記した内容を再確認できるので、セキュリティ面での問題が生じることは無い。
【０１１３】
なお、前記第１実施形態の電子ペーパ記録装置１０Ａ，１０Ｂでは、電子下敷１２Ａ（１２Ｂ）の電子ペーパ管理テーブル（下敷）５４に登録したペーパＩＤとコンテンツＩＤとの組み合わせに基づいて、新たに電子ペーパ１１Ａ（１１Ｂ）を装着した際に、そのペーパＩＤに組み合わされたコンテンツＩＤを読み出し、当該コンテンツＩＤに対応する表示データを電子ペーパ１１Ａ（１１Ｂ）に表示させる構成とした。これに対し、以下の第２実施形態の電子ペーパ記録装置１０Ａ（１０Ｂ）において説明するように、クラウドコンピューティングシステム上に設けた電子ペーパ管理サーバ５３に、各電子下敷１２Ａ（１２Ｂ）…からのアクセスにより、その下敷ＩＤとペーパＩＤとコンテンツＩＤとを対応付けて登録する。そして、電子下敷１２Ａ（１２Ｂ）において、新たに電子ペーパ１１Ａ（１１Ｂ）を装着した際に、その下敷ＩＤとペーパＩＤとに対応付けられたコンテンツＩＤを前記電子ペーパ管理サーバ５３にアクセスして取得し、当該コンテンツＩＤに対応する表示データを電子ペーパ１１Ａ（１１Ｂ）に表示させる構成とすることで、電子ペーパ１１Ａ（１１Ｂ）に、当該電子ペーパ１１Ａ（１１Ｂ）を載せた下敷に応じたコンテンツの表示データを再表示させてもよい。
【０１１４】
（第２実施形態）
図１３は、本発明の第２実施形態に係る電子ペーパ記録装置１０Ｂを端末としネットワーク（インターネット）Ｎ上の電子ペーパ管理サーバ５３にウェブアクセスベースで接続して使用する場合の構成例を示すブロック図である。
【０１１５】
電子ペーパ管理サーバ５３は、コンピュータであるＣＰＵからなる制御装置５６を備え、この制御装置５６を中心にして入力装置５７、記憶装置５８、表示装置５９が接続され、またネットワーク（インターネット）Ｎ上の端末（電子ペーパ記録装置１０Ｂ）と、ＰＣや携帯電話などの通信端末装置６１を介して、あるいは直接的に通信接続するための通信装置６０が接続される。
【０１１６】
前記電子ペーパ管理サーバ５３の記憶装置５８には、電子ペーパ管理プログラム等の種々の制御情報を記憶管理するための情報管理部５８ａをはじめ、各端末（電子ペーパ記録装置１０Ｂ…）からの要求に応じて登録または配信すべき情報（コンテンツＩＤ）を下敷ＩＤ、ペーパＩＤに対応付けて記憶管理するための電子ペーパ管理部５８ｂが確保される。
【０１１７】
図１４は、前記電子ペーパ管理サーバ５３の電子ペーパ管理部５８ｂにて記憶管理される電子ペーパ管理テーブル（サーバ）６２の内容を示す図である。
【０１１８】
この電子ペーパ管理テーブル（サーバ）６２には、ログインされた端末（電子ペーパ記録装置１０Ｂ）からの受信に応じて、当該受信された電子下敷ＩＤ、電子ペーパＩＤおよびその表裏コードとアクティブ（有効）情報、表裏それぞれの表示情報（コンテンツＩＤ）が対応付けられて記憶される。
【０１１９】
ここで、電子ペーパ管理テーブル（サーバ）６２に記憶される各種の情報のうち、前記電子ペーパ１１Ａ（１１Ｂ）のアクティブ（有効）情報についてはリアルタイムに更新されて記憶され、表示情報（コンテンツＩＤ）は、登録要求の受信に応じて新規に又は更新されて記憶される。
【０１２０】
次に、前記構成の第２実施形態の電子ペーパ記録装置１０Ｂをクラウドコンピューティングシステムの端末として組み込んだ場合（図７〜図９、図１３、図１４参照）の動作について説明する。
【０１２１】
図１５は、前記図１０で示した第１実施形態の電子下敷１２Ａ，１２Ｂでの処理（その１）の一部に入れ替えられる第２実施形態の電子下敷１２Ｂでの処理（その１）を示すフローチャートである。
【０１２２】
この第２実施形態の電子下敷１２Ｂでの処理（ステップＳ１５ａ〜Ｓ１７ａ）は、前記第１実施形態の電子下敷１２Ａ，１２Ｂでの処理（ステップＳ１５〜Ｓ１７）と入れ替えられて実行される。
【０１２３】
図１６は、前記図１０および図１１で示した第１実施形態の電子下敷１２Ａ，１２Ｂでの処理に追加される第２実施形態の電子下敷１２Ｂでの処理（その２）を示すフローチャートである。
【０１２４】
この第２実施形態の電子下敷１２Ｂでの処理（ステップＳ９ａ／Ｓ１３ａ）は、前記第１実施形態の電子下敷１２Ａ，１２Ｂでの処理（ステップＳ９／Ｓ１３）の後に追加されて実行される。
【０１２５】
この第２実施形態の電子ペーパ記録装置１０Ｂにおける電子下敷１２Ｂでの処理のうち、前記図１５、図１６で示す処理を除く前記第１実施形態での処理と同じ処理内容についてはその説明を省略する。
【０１２６】
図１７は、前記第２実施形態の電子ペーパ記録装置１０Ｂを端末として組み込んだクラウドコンピューティングシステムにおける電子ペーパ管理サーバ５３での処理を示すフローチャートである。
【０１２７】
すなわち、前記図１１における電子下敷１２Ｂでの処理（その２）のステップＳ６〜Ｓ９において、装着中の電子ペーパ１１Ｂに情報提供サーバ５３Ｗ等の外部から取得したコンテンツの表示データを表示させるのに伴い、そのペーパＩＤとコンテンツＩＤとの組み合わせを前記電子ペーパ管理テーブル（下敷）５４（図８参照）に登録した際には、当該電子下敷１２Ｂの下敷ＩＤとペーパＩＤとコンテンツＩＤとを外部接続装置３３を介して電子ペーパ管理サーバ５３へ送信し、電子ペーパ管理テーブル（サーバ）６２（図１４参照）に登録させる（ステップＳ９ａ）。
【０１２８】
また、前記図１０における電子下敷１２Ｂでの処理（その１）のステップＳ１〜Ｓ３において、装着した電子ペーパ１１ＢのペーパＩＤが電子ペーパ管理テーブル（下敷）５４に登録されてなく、当該電子ペーパ１１Ｂにユーザ任意のコンテンツの表示データが予め表示されている場合に、そのペーパＩＤとコンテンツＩＤとの組み合わせを前記電子ペーパ管理テーブル（下敷）５４（図８参照）に登録した際にも（ステップＳ１３）、当該電子下敷１２Ｂの下敷ＩＤとペーパＩＤとコンテンツＩＤとを外部接続装置３３を介して電子ペーパ管理サーバ５３へ送信し、電子ペーパ管理テーブル（サーバ）６２（図１４参照）に登録させる（ステップＳ１３ａ）。
【０１２９】
電子ペーパ管理サーバ５３において、前記電子下敷１２Ｂから受信された下敷ＩＤとペーパＩＤとの組み合わせが電子ペーパ管理テーブル（サーバ）６２に登録されていない場合には（ステップＭ１，Ｍ２（Ｎｏ））、当該電子ペーパ管理テーブル（サーバ）６２に、前記下敷ＩＤとペーパＩＤとに対応付けられて共に受信されたコンテンツＩＤが新規登録される（ステップＭ３）。
【０１３０】
具体的には、図１４に示すように、例えば電子下敷ＩＤ“あ”、電子ペーパＩＤ“Ａ”のアクティブ（有効）な裏面“２”に対応付けられてコンテンツＩＤ“２０１”として登録される。
【０１３１】
また、電子ペーパ管理サーバ５３において、前記電子下敷１２Ｂから受信された下敷ＩＤとペーパＩＤとの組み合わせが電子ペーパ管理テーブル（サーバ）６２に登録されている場合でも（ステップＭ１，Ｍ２（Ｙｅｓ））、前記下敷ＩＤとペーパＩＤとに対応付けられて共に受信されたコンテンツＩＤが登録されていない場合には、コンテンツＩＤの更新と判断され（ステップＭ７（Ｙｅｓ））、電子ペーパ管理テーブル（サーバ）６２に、前記下敷ＩＤとペーパＩＤとに対応付けられて共に受信されたコンテンツＩＤが追加更新されて登録される（ステップＭ８）。
【０１３２】
この後、前記電子下敷１２Ｂにおいて、新たに電子ペーパ１１Ｂが装着され、そのペーパＩＤが電子ペーパ管理テーブル（下敷）５４に登録済みであると判断され（ステップＳ１，Ｓ２（Ｙｅｓ））、同電子ペーパ１１Ｂにコンテンツの表示が無いと判断されると（ステップＳ１４（Ｎｏ））、本電子下敷１２Ｂの下敷ＩＤと前記装着された電子ペーパ１２ＢのペーパＩＤとが前記電子ペーパ管理サーバ５３へ送信される（ステップＳ１５ａ）。
【０１３３】
電子ペーパ管理サーバ５３において、前記電子下敷１２Ｂから受信された下敷ＩＤとペーパＩＤとの組み合わせが電子ペーパ管理テーブル（サーバ）６２に登録されていると判断された際に（ステップＭ１，Ｍ２（Ｙｅｓ））、当該下敷ＩＤとペーパＩＤと共にコンテンツＩＤが受信されない場合には、電子下敷１２Ｂからのデータ要求であると判断される（ステップＭ４（Ｙｅｓ））。
【０１３４】
すると、前記電子ペーパ管理テーブル（サーバ）６２において、前記電子下敷１２Ｂから受信された例えば電子下敷ＩＤ“あ”、電子ペーパＩＤ“Ｂ”のアクティブ（有効）な表面“１”に対応付けられて登録されている全てのコンテンツＩＤ“３０１”“３０２”“３０３”が読み出され（ステップＭ５）、前記電子下敷“あ”１２Ｂへ送信される（ステップＭ６）。
【０１３５】
そして、電子下敷“あ”１２Ｂにおいて、前記電子ペーパ管理サーバ５３から送信されたコンテンツＩＤ“３０１”“３０２”“３０３”が受信されると（ステップＳ１６ａ）、当該受信されたコンテンツＩＤ“３０１”“３０２”“３０３”と一致するコンテンツＩＤと対応付けられて前記電子ペーパ“Ｂ”１１Ｂの表示コンテンツ記憶部２１Ｄ（図９参照）に保存されている各表示データ“Ｄ３０１”“Ｄ３０２”“Ｄ３０３”が読み出され、そのうち最新のコンテンツの表示データ“Ｄ３０３”が同電子ペーパ“Ｂ”１１Ｂのアクティブ（有効）な表面“１”の不揮発性表示装置１７Ｒに表示される（ステップＳ１７ａ）。
【０１３６】
したがって、前記構成の第２実施形態の電子ペーパ記録装置１０Ａ，１０Ｂによれば、電子下敷１２Ａ（１２Ｂ）において、装着された電子ペーパ１１Ａ（１１Ｂ）に任意のコンテンツの表示データを表示させると、外部接続される電子ペーパ管理サーバ５３に当該電子下敷１２Ａ（１２Ｂ）の下敷ＩＤと電子ペーパ１１Ａ（１１Ｂ）のペーパＩＤと表示データのコンテンツＩＤとが対応付けられて送信され、電子ペーパ管理テーブル（サーバ）６２に登録される。電子ペーパ１１Ａ（１１Ｂ）には、新たな表示データが表示される都度、その表示コンテンツ記憶部２１ＤにコンテンツＩＤと対応付けられた表示データが記憶されて保存される。そして、電子ペーパ１１Ａ（１１Ｂ）が新たに装着されると、下敷ＩＤとペーパＩＤとが前記電子ペーパ管理サーバ５３へ送信され、前記電子ペーパ管理テーブル（サーバ）６２に登録されている前記下敷ＩＤとペーパＩＤとの組み合わせに対応付けられたコンテンツＩＤが読み出され、これと一致するコンテンツＩＤが、当該電子ペーパ１１Ａ（１１Ｂ）の表示コンテンツ記憶部２１Ｄに保存されている場合には、そのコンテンツＩＤと対応付けられた表示データが再表示される。
【０１３７】
このため、ユーザは、電子下敷１２Ａ（１２Ｂ）に電子ペーパ１１Ａ（１１Ｂ）を載せるだけで、この電子下敷１２Ａ（１２Ｂ）を使用して以前表示させたコンテンツの表示データを直ちに読み出して再表示できるようになる。そして、電子ペーパ１１Ａ（１１Ｂ）に表示させる各コンテンツの表示データは、当該電子ペーパ１１Ａ（１１Ｂ）自身が保存しており、管理サーバにての保存を要しない。よって、サーバ上でのデータ容量に問題が生じることなく、電子ペーパに、当該電子ペーパを載せた下敷に応じたコンテンツの表示データを再表示させることが可能になる。
【０１３８】
（第３実施形態）
この第３実施形態の電子ペーパ記録装置１０Ａ，１０Ｂでは、電子ペーパ１１Ａ（１１Ｂ）において、電子下敷１２Ａ（１２Ｂ）に装着されたことが検出された際に、電子下敷１２Ａ（１２Ｂ）の電子ペーパ管理テーブル（下敷）５４に登録されているペーパ自身のペーパＩＤに対応付けられたコンテンツＩＤを取得し、このコンテンツＩＤに対応付けられた表示データが表示コンテンツ記憶部２１Ｄに保存されていると判断した場合に、当該表示データを不揮発性表示装置１７に表示する構成とする。
【０１３９】
図１８は、本発明の第３実施形態に係る電子ペーパ記録装置１０Ａ，１０Ｂの主要動作を説明する図である。
【０１４０】
先ず、電子下敷１２Ａ（１２Ｂ）は、装着中の電子ペーパ１１Ａ（１１Ｂ）に表示させた表示データのコンテンツについて、そのペーパＩＤとコンテンツＩＤとの組み合わせが電子ペーパ管理テーブル５４（図８参照）に未登録である場合、前記第１実施形態と同様に登録処理する（ステップＳ１〜Ｓ３→Ｓ１３／Ｓ４〜Ｓ９）。また、手書き入力があった場合も、その手書きデータを、前記第１実施形態と同様に表示処理（ステップＳ１０，Ｓ１１）すると共に、前記電子ペーパ管理テーブル５４（図８参照）にそのペーパＩＤとコンテンツＩＤとに対応付けて記憶処理する（ステップＳ１２）。
【０１４１】
また、電子ペーパ１１Ａ（１１Ｂ）では、異なるコンテンツの表示データが表示される毎に、前記第１実施形態と同様に、そのコンテンツＩＤと表示データとを対応付けて表示コンテンツ記憶部２１Ｄに保存処理する。
【０１４２】
そして、この第３実施形態では、電子ペーパ１１Ａ（１１Ｂ）において、電子下敷１２Ａ（１２Ｂ）への装着が検出された際、当該電子下敷１２Ａ（１２Ｂ）の電子ペーパ管理テーブル（下敷）５４にペーパＩＤと対応付けられて登録されているコンテンツＩＤを取得し、このコンテンツＩＤに対応した表示データを表示コンテンツ記憶部２１Ｄに保存されている各コンテンツＩＤに対応付けられた表示データの中から判別して表示する。
【０１４３】
この際、電子ペーパ１１Ａ（１１Ｂ）のペーパＩＤと対応付けられて電子下敷１２Ａ（１２Ｂ）から取得されたコンテンツＩＤが複数ある場合には、最新のコンテンＩＤに対応する表示データをデフォルトで判別して表示し、この後、表示の変更が指示された場合に、前記複数のコンテンツＩＤに対応する表示データの中から任意の表示データをメニュー選択することで表示する。
【０１４４】
したがって、この第３実施形態の電子ペーパ１１Ａ（１１Ｂ）によれば、各電子ペーパ１１Ａ（１２Ａ）…に表示させた各種コンテンツの表示データを管理サーバ上で保存管理する必要なく、当該電子ペーパ１１Ａ（１１Ｂ）を載せた電子下敷１２Ａ（１２Ｂ）に応じたコンテンツの表示データを容易に再表示させることが可能になる。
【０１４５】
（第４実施形態）
図１９は、本発明の第４実施形態に係る電子ペーパ記録装置１０Ａ，１０Ｂの主要動作を説明する図である。
【０１４６】
この第４実施形態の電子ペーパ記録装置１０Ａ，１０Ｂでは、電子ペーパ１１Ａ（１１Ｂ）において、電子下敷１２Ａ（１２Ｂ）への装着が検出され、ユーザ任意のコンテンツの表示データが表示された際、異なるコンテンツの表示データが表示される毎に、当該電子下敷１２Ａ（１２Ｂ）の下敷ＩＤと表示データのコンテンツＩＤとを対応付けて表示コンテンツ記憶部２１Ｄ′のＩＤ記憶部２１ＤＡに記憶する。またこれに伴い、そのコンテンツＩＤと表示データとを対応付けて同表示コンテンツ記憶部２１Ｄ′のデータ記憶部２１ＤＢに記憶して保存する。
【０１４７】
そして、新たに電子下敷１２Ａ（１２Ｂ）への装着が検出された際、その下敷ＩＤを取得し、この下敷ＩＤに対応付けられて前記表示コンテンツ記憶部２１Ｄ′内のＩＤ記憶部２１ＤＡに記憶されているコンテンツＩＤを読み出し、このコンテンツＩＤに対応付けられて同表示コンテンツ記憶部２１Ｄ′内のデータ記憶部２１ＤＢに保存されている表示データを判別して表示する。
【０１４８】
この際、装着された電子下敷１２Ａ（１２Ｂ）の下敷ＩＤに対応付けられたコンテンツＩＤが複数記憶されている場合には、最新のコンテンＩＤに対応する表示データをデフォルトで判別して表示し、この後、表示の変更が指示された場合に、前記複数のコンテンツＩＤに対応する表示データの中から任意の表示データをメニュー選択することで表示する。
【０１４９】
したがって、この第４実施形態の電子ペーパ１１Ａ（１１Ｂ）によれば、各電子ペーパ１１Ａ（１２Ａ）…に表示させた各種コンテンツの表示データを管理サーバ上で保存管理する必要なく、当該電子ペーパ１１Ａ（１１Ｂ）を載せた電子下敷１２Ａ（１２Ｂ）に応じたコンテンツの表示データを容易に再表示させることが可能になる。
【０１５０】
なお、前記第３実施形態と第４実施形態の何れの電子ペーパ１１Ａ（１１Ｂ）にあっても、装着されている電子下敷１２Ａ（１２Ｂ）から外されたことが検出された場合には、前記第１実施形態（図１２参照）と同様に、前記電子下敷１２Ａ，１２Ｂから外された後の連続経過時間が予め設定された所定時間（例えば６０秒）を経過したと判断されるのに伴い表示データが消去されて非表示とされる（ステップＰ３〜Ｐ７）。
【０１５１】
また、前記第３実施形態と第４実施形態の何れの電子ペーパ１１Ａ（１１Ｂ）にあっても、電子下敷１２Ａ（１２Ｂ）に装着された際に、不揮発性表示装置１７に何らかのコンテンツの表示データが予め表示されている場合には、その表示状態を維持し、当該表示データのコンテンツＩＤが未登録である場合には登録処理する。
【０１５２】
そして、不揮発性表示装置１７に表示データの表示がない場合には、電子下敷１２Ａ（１２Ｂ）に応じて登録されているコンテンツＩＤに対応付けられた表示データを表示処理する。
【０１５３】
さらに、前記電子下敷１２Ａ（１２Ｂ）に装着された電子ペーパ１１Ａ（１１Ｂ）に表示データが表示されている状態でも、表示の変更を指示することで、当該電子下敷１２Ａ（１２Ｂ）に応じて登録されている複数のコンテンツＩＤに対応付けられた複数の表示データの中から任意のコンテンツの表示データをメニュー選択して表示できる。
【０１５４】
なお、前記第３実施形態と第４実施形態の電子ペーパ１１Ａ（１１Ｂ）では、予め何らかのコンテンツの表示データが表示されている電子ペーパ１１Ａ（１１Ｂ）を電子下敷１２Ａ（１２Ｂ）に装着した際、その表示データのコンテンツＩＤを登録処理した後に、当該電子下敷１２Ａ（１２Ｂ）に応じた表示コンテンツの変更、登録処理や手書きデータの入力、表示処理を行うものであるが、前記予め表示された表示データのコンテンツＩＤの登録処理に際しては、そのコンテンツＩＤを電子ペーパ１１Ａ（１１Ｂ）内に一時保存して退避する。そしてこの後、電子下敷１２Ａ（１２Ｂ）から外されたことが検出された際には、前記一時保存されたコンテンツＩＤの表示データを読み出して再表示させる構成としてもよい。
【０１５５】
なお、本願発明は、前記各実施形態に限定されるものではなく、実施段階ではその要旨を逸脱しない範囲で種々に変形することが可能である。さらに、前記各実施形態には種々の段階の発明が含まれており、開示される複数の構成要件における適宜な組み合わせにより種々の発明が抽出され得る。例えば、各実施形態に示される全構成要件から幾つかの構成要件が削除されたり、幾つかの構成要件が異なる形態にして組み合わされても、発明が解決しようとする課題の欄で述べた課題が解決でき、発明の効果の欄で述べられている効果が得られる場合には、この構成要件が削除されたり組み合わされた構成が発明として抽出され得るものである。
【０１５６】
以下に、本願出願の当初の特許請求の範囲に記載された発明を付記する。
【０１５７】
［１］
電子ペーパが着脱自在に装着される電子下敷装置であって、
電子ペーパに表示させる表示データのコンテンツＩＤを登録する表示対象登録手段と、
表示データをそのコンテンツＩＤと対応付けて記憶している電子ペーパが装着されたことを検出するペーパ検出手段と、
このペーパ検出手段により電子ペーパが装着されたことが検出された際に、前記表示対象登録手段により登録されているコンテンツＩＤと一致するコンテンツＩＤが当該装着された電子ペーパに記憶されているか否かを判断する表示判断手段と、
この表示判断手段により前記表示対象登録手段により登録されているコンテンツＩＤと一致するコンテンツＩＤが前記装着された電子ペーパに記憶されていると判断された場合に、当該コンテンツＩＤと対応付けられて同電子ペーパに記憶されている表示データを当該電子ペーパに表示させる表示制御手段と、
を備えたことを特徴とする電子下敷装置。
【０１５８】
［２］
前記表示対象登録手段は、電子ペーパのペーパＩＤと当該電子ペーパに表示させる表示データのコンテンツＩＤとを対応付けて登録し、
前記表示判断手段は、前記ペーパ検出手段により電子ペーパが装着されたことが検出された際に、そのペーパＩＤと対応付けられて前記表示対象登録手段により登録されているコンテンツＩＤと一致するコンテンツＩＤが当該装着された電子ペーパに記憶されているか否かを判断し、
前記表示制御手段は、前記表示判断手段により前記装着された電子ペーパのペーパＩＤと対応付けられて前記表示対象登録手段により登録されているコンテンツＩＤと一致するコンテンツＩＤが当該電子ペーパに記憶されていると判断された場合に、当該コンテンツＩＤと対応付けられて同電子ペーパに記憶されている表示データを当該電子ペーパに表示させる、
ことを特徴とする［１］に記載の電子下敷装置。
【０１５９】
［３］
前記ペーパ検出手段により電子ペーパが装着されたことが検出され、当該電子ペーパに表示データが表示された状態で、同表示データのコンテンツＩＤが前記表示対象登録手段により登録されているか否かを判断する登録有無判断手段を備え、
前記表示対象登録手段は、前記登録有無判断手段により前記装着された電子ペーパに表示された表示データのコンテンツＩＤが登録されていないと判断された場合に、そのコンテンツＩＤを登録する、
ことを特徴とする［１］に記載の電子下敷装置。
【０１６０】
［４］
電子ペーパが着脱自在に装着される電子下敷装置であって、
電子ペーパのペーパＩＤに対応付けてその電子ペーパに表示させる表示データのコンテンツＩＤを登録する表示対象登録手段と、
表示データをそのコンテンツＩＤと対応付けて記憶している電子ペーパが装着されたことを検出するペーパ検出手段と、
このペーパ検出手段により電子ペーパが装着されたことが検出された際に、当該装着された電子ペーパのペーパＩＤに対応付けられて前記表示対象登録手段により登録されているコンテンツＩＤを特定する表示対象特定手段と、
この表示対象特定手段により特定されたコンテンツＩＤと対応付けられて前記装着された電子ペーパに記憶されている表示データを当該電子ペーパに表示させる表示制御手段と、
を備えたことを特徴とする電子下敷装置。
【０１６１】
［５］
前記ペーパ検出手段により電子ペーパが装着されたことが検出された際に、当該装着された電子ペーパのペーパＩＤが前記表示対象登録手段により登録されているか否かを判断する登録有無判断手段を備え、
前記表示対象登録手段は、前記登録有無判断手段により前記装着された電子ペーパのペーパＩＤが登録されていないと判断された場合に、そのペーパＩＤに対応付けて同電子ペーパに表示された表示データのコンテンツＩＤを登録する、
ことを特徴とする［４］に記載の電子下敷装置。
【０１６２】
［６］
前記ペーパ検出手段により電子ペーパが装着されたことが検出された際に、当該装着された電子ペーパに表示データが表示されているか否かを判断する表示有無判断手段を備え、
前記表示制御手段は、前記表示有無判断手段により前記装着された電子ペーパに表示データが表示されていないと判断された場合に、当該電子ペーパに記憶されている表示データを同電子ペーパに表示させる、
ことを特徴とする［１］または［４］に記載の電子下敷装置。
【０１６３】
［７］
外部装置から任意のコンテンツの表示データを取得する表示データ取得手段と、
この表示データ取得手段により取得された任意のコンテンツの表示データを前記装着された電子ペーパに表示させる任意データ表示制御手段と、
を備えたことを特徴とする［１］または［４］に記載の電子下敷装置。
【０１６４】
［８］
前記外部装置は、ネットワークを介して各種のコンテンツを受信可能な通信端末装置であって、
前記表示データ取得手段は、前記通信端末装置によりネットワークを介して受信した任意のコンテンツの表示データを当該通信端末装置との通信接続により取得する、
ことを特徴とする［７］に記載の電子下敷装置。
【０１６５】
［９］
前記外部装置は、ネットワーク上に存在するコンテンツサーバ装置であって、
前記表示データ取得手段は、前記ネットワーク上のコンテンツサーバ装置との直接の通信接続により任意のコンテンツの表示データを取得する、
ことを特徴とする［７］に記載の電子下敷装置。
【０１６６】
［１０］
前記ペーパ検出手段により検出されている電子ペーパ上でのユーザ操作に応じた操作位置を検出する操作位置検出手段と、
この操作位置検出手段により検出されたユーザ操作位置に応じたデータを追記データとして前記電子ペーパの該当する位置に重畳して表示させる追記重畳表示制御手段と、
を備えたことを特徴とする［１］または［４］に記載の電子下敷装置。
【０１６７】
［１１］
前記追記重畳表示制御手段により前記電子ペーパに重畳して表示された追記データを当該電子ペーパのペーパＩＤに対応付けて記憶する追記データ記憶手段と、
前記ペーパ検出手段により電子ペーパが装着されたことが検出された際に、当該装着された電子ペーパのペーパＩＤに対応付けられて前記追記データ記憶手段により記憶されている追記データを読み出し同電子ペーパに重畳して再表示させる追記重畳再表示制御手段と、
を備えたことを特徴とする［１０］に記載の電子下敷装置。
【０１６８】
［１２］
電子ペーパが着脱自在に装着される電子下敷装置であって、
表示データをそのコンテンツＩＤと対応付けて記憶している電子ペーパが装着されたことを検出するペーパ検出手段と、
このペーパ検出手段により電子ペーパが装着されたことが検出された際に、電子下敷の下敷ＩＤと電子ペーパのペーパＩＤと表示データのコンテンツＩＤとを対応付けて登録しているサーバ装置に接続し、本電子下敷装置の下敷ＩＤと前記装着された電子ペーパのペーパＩＤとを送信するＩＤ送信手段と、
このＩＤ送信手段により送信された前記下敷ＩＤとペーパＩＤとに対応付けられて前記サーバ装置に登録されているコンテンツＩＤを受信する表示対象受信手段と、
この表示対象受信手段により受信されたコンテンツＩＤと対応付けられて前記装着された電子ペーパに記憶されている表示データを当該電子ペーパに表示させる表示制御手段と、
を備えたことを特徴とする電子下敷装置。
【０１６９】
［１３］
電子下敷に着脱自在に装着され、複数の表示データを記憶している電子ペーパであって、
電子下敷に装着されたことを検出する下敷検出手段と、
この下敷検出手段により電子下敷に装着されたことが検出された際に、当該電子下敷から表示対象のコンテンツＩＤを取得する表示対象取得手段と、
この表示対象取得手段により取得されたコンテンツＩＤに対応する表示データが記憶されているか否かを判断する表示有無判断手段と、
この表示有無判断手段により前記取得されたコンテンツＩＤに対応する表示データが記憶されていると判断された場合に、当該表示データを本電子ペーパに表示させる表示制御手段と、
を備えたことを特徴とする電子ペーパ。
【０１７０】
［１４］
前記複数の表示データをそれぞれそのコンテンツＩＤと対応付けて記憶する表示データ記憶手段を備え、
前記表示有無判断手段は、前記表示対象取得手段により取得されたコンテンツＩＤと対応付けられた表示データが前記表示データ記憶手段により記憶されているか否かを判断し、
前記表示制御手段は、前記表示有無判断手段により前記取得されたコンテンツＩＤと対応付けられた表示データが前記表示データ記憶手段により記憶されていると判断された場合に、当該表示データを本電子ペーパに表示させる、
ことを特徴とする［１３］に記載の電子ペーパ。
【０１７１】
［１５］
電子下敷に着脱自在に装着され、複数の表示データを記憶している電子ペーパであって、
複数の電子下敷それぞれの下敷ＩＤと対応付けて前記複数の表示データにそれぞれ対応するコンテンツＩＤを記憶する表示対象記憶手段と、
電子下敷に装着されたことを検出する下敷検出手段と、
この下敷検出手段により電子下敷に装着されたことが検出された際に、当該電子下敷から下敷ＩＤを取得するＩＤ取得手段と、
ＩＤ取得手段により取得された下敷ＩＤと対応付けられたコンテンツＩＤが前記表示対象記憶手段により記憶されているか否かを判断する表示有無判断手段と、
この表示有無判断手段により前記取得された下敷ＩＤと対応付けられたコンテンツＩＤが前記表示対象記憶手段により記憶されていると判断された場合に、当該コンテンツＩＤに対応して記憶されている表示データを本電子ペーパに表示させる表示制御手段と、
を備えたことを特徴とする電子ペーパ。
【０１７２】
［１６］
前記下敷検出手段により電子下敷に装着された状態から外れたことが検出された際に、前記表示制御手段による表示の状態を非表示に変更する非表示制御手段を備えた、
ことを特徴とする［１３］または［１５］に記載の電子ペーパ。
【０１７３】
［１７］
前記非表示制御手段は、前記下敷検出手段により電子下敷に装着された状態から外れたことが検出された際に、所定時間の経過後に前記表示制御手段による表示の状態を非表示に変更する、
ことを特徴とする［１６］に記載の電子ペーパ。
【０１７４】
［１８］
下敷検出手段により電子下敷に装着されたことが検出された際に、本電子ペーパに表示データが予め表示されているか否かを判断する表示状態判断手段を備え、
この表示状態判断手段により表示データが予め表示されているか否かの判断に応じて、前記装着された電子下敷に応じた表示の制御を実行するか否かを制御する、
ことを特徴とする［１３］または［１５］に記載の電子ペーパ。
【０１７５】
［１９］
前記表示状態判断手段により表示データが予め表示されていると判断された場合には、当該表示データの表示状態を維持し、前記表示状態判断手段により表示データが予め表示されていないと判断された場合に、前記装着された電子下敷に応じた表示の制御を実行する、
ことを特徴とする［１８］に記載の電子ペーパ。
【０１７６】
［２０］
前記表示状態判断手段により表示データが予め表示されていると判断された場合に、ユーザ操作に応じて表示の変更を指示する表示変更指示手段を備え、
この表示変更指示手段により表示の変更が指示された場合に、前記装着された電子下敷に応じた表示の制御を実行する、
ことを特徴とする［１８］に記載の電子ペーパ。
【０１７７】
［２１］
前記表示状態判断手段により表示データが予め表示されていると判断された場合に、当該表示データのコンテンツＩＤを一時保存する表示対象退避手段と、
前記下敷検出手段により電子下敷に装着された状態から外れたことが検出された際に、当該装着されていた電子下敷に応じた表示の制御により表示された表示データに代えて、前記表示対象退避手段により一時保存されているコンテンツＩＤに対応した表示データを再表示させる再表示制御手段と、
を備えたことを特徴とする［２０］に記載の電子ペーパ。
【符号の説明】
【０１７８】
１０Ａ…電子ペーパ記録装置（片面タイプ）
１０Ｂ…電子ペーパ記録装置（両面タイプ）
１１Ａ…電子ペーパ（片面タイプ）
１１Ｂ…電子ペーパ（両面タイプ）
１２Ａ…電子下敷（片面タイプ）
１２Ｂ…電子下敷（見開きタイプ）
１４  …タブレット
１７  …不揮発性表示装置
１９  …ペーパ制御装置
２０  …ペーパＩＤ記憶部
２１Ｄ、２１Ｄ′…表示コンテンツ記憶部
２１ＤＡ…コンテンツＩＤ記憶部、
２１ＤＢ…表示データ記憶部
２９  …下敷ＩＤ記憶部
５３  …電子ペーパ管理サーバ
５３Ｗ…情報提供サーバ
５４  電子ペーパ管理テーブル（下敷）
５８ａ…情報管理部
５８ｂ…電子ペーパ管理部
６０  …通信装置
６１  …通信端末装置
６２  …電子ペーパ管理テーブル（サーバ）
【図１】
2014048581.tif 000003
【図２】
2014048581.tif 000004
【図３】
2014048581.tif 000005
【図４】
2014048581.tif 000006
【図５】
2014048581.tif 000007
【図６】
2014048581.tif 000008
【図７】
2014048581.tif 000009
【図８】
2014048581.tif 000010
【図９】
2014048581.tif 000011
【図１０】
2014048581.tif 000012
【図１１】
2014048581.tif 000013
【図１２】
2014048581.tif 000014
【図１３】
2014048581.tif 000015
【図１４】
2014048581.tif 000016
【図１５】
2014048581.tif 000017
【図１６】
2014048581.tif 000018
【図１７】
2014048581.tif 000019
【図１８】
2014048581.tif 000020
【図１９】
2014048581.tif 000021